(57)【特許請求の範囲】
【請求項１】
生検装置において、
（ａ）プローブ本体と、
（ｂ）前記プローブ本体から遠位に延び、横向きの組織受容孔を含む、針部分と、
（ｃ）前記針部分内部に位置付けられた中空カッターであって、前記孔を通って突出する組織から組織標本を切断するために前記針部分内部で並進可能であり、カッター内腔を画定する、中空カッターと、
（ｄ）組織標本ホルダーであって、
（ｉ）少なくとも２つの組織標本チャンバであって、前記チャンバはそれぞれ、軸方向に延び、前記軸方向は、前記カッター内腔と平行である、少なくとも２つの組織標本チャンバ、
（ｉｉ）前記組織標本チャンバのうち少なくとも１つと取り外し可能に係合された少なくとも１つのトレーであって、軸方向に前記組織標本チャンバから取り外し可能である、少なくとも１つのトレー、
を含む、組織標本ホルダーと、
を含み、
前記少なくとも２つの組織標本チャンバが、第１のチャンバ、および第２のチャンバを含み、前記第１のチャンバが第１の容量を画定し、前記第２のチャンバが第２の容量を画定し、前記第１の容量は、前記第２の容量より実質的に大きく、
前記組織標本ホルダーは、組織標本チャンバを前記カッター内腔に対し選択的に割出しして、割出しされた前記チャンバ内に前記組織標本を受容するように動作可能であり、
前記組織標本ホルダーは、前記第１のチャンバが割出しされる第１の角度位置と前記第２のチャンバが割出しされる第２の角度位置とを含む、少なくとも２つの角度位置を通って、前記少なくとも２つの組織標本チャンバを選択的に回転させるように動作可能である、生検装置。
【請求項２】
請求項１に記載の生検装置において、
前記組織標本ホルダーは、内側ハウジングをさらに含み、
前記内側ハウジングは、前記チャンバを画定し、
前記少なくとも１つのトレーは、前記内側ハウジングの前記少なくとも２つの組織標本チャンバのうちの少なくとも１つと取り外し可能に係合可能である、生検装置。
【請求項３】
請求項１に記載の生検装置において、
前記少なくとも１つのトレーは、少なくとも１つの突起を含み、
前記突起は、一対の側壁、各対の側壁間に延びる基部端壁、ならびに、各対の側壁および対応する基部端壁と一体の床部を含む、生検装置。
【請求項４】
請求項３に記載の生検装置において、
前記少なくとも２つの組織標本チャンバのうちの１つが、前記トレーの前記少なくとも１つの突起を受容するようにサイズ決めされる、生検装置。
【請求項５】
請求項３に記載の生検装置において、
前記トレーは、少なくとも第１の突起および第２の突起を含み、
前記第１の組織標本チャンバは、前記第１の突起を受容するようにサイズ決めされ、前記第２の組織標本チャンバは、前記第２の突起を受容するようにサイズ決めされる、生検装置。
【請求項６】
請求項１に記載の生検装置において、
前記組織標本ホルダーの前記第２のチャンバに受容された前記組織標本は、さらなる試験のための病理学的標本である、生検装置。
【請求項７】
請求項１に記載の生検装置において、
各トレーは、少なくとも１つの突起を含み、各突起は、組織標本受容空間を画定し、
各突起の各組織標本受容空間は、対応する組織標本チャンバと関連する、生検装置。
【請求項８】
請求項１に記載の生検装置において、
前記組織標本ホルダーは、前記カッター内腔に連通する流体を前記組織標本ホルダーに引き込むための負の空気圧と、前記カッター内腔に連通する流体を前記組織標本ホルダーから除去するための正の空気圧とを選択的に与えるように構成される、生検装置。
【請求項９】
請求項１に記載の生検装置において、
前記組織標本ホルダーは、前記プローブ本体と選択的に係合可能であり、
前記組織標本ホルダーは、前記プローブ本体に対して前記組織標本ホルダーを選択的に取り外すように動作可能な解放機構を含む、生検装置。
【請求項１０】
請求項１に記載の生検装置において、
前記第１のチャンバは、複数の組織標本を受容するように構成される、生検装置。
【請求項１１】
請求項１０に記載の生検装置において、
前記第２のチャンバは、単一の組織標本のみを受容するように構成される、生検装置。
【請求項１２】
請求項１０に記載の生検装置において、
前記第２のチャンバは、前記第１のチャンバより少なくとも１つ少ない組織標本を受容するように構成される、生検装置。
【請求項１３】
請求項１に記載の生検装置において、
前記組織標本ホルダーは、前記カッター内腔から真空内腔に流体を向けるように構成される、生検装置。
【請求項１４】
生検プローブに係合し、組織標本を受容するように構成された、組織標本ホルダーにおいて、
（ａ）少なくとも第１のチャンバおよび第２のチャンバを含むハウジングであって、前記チャンバはそれぞれ、軸方向に沿って延び、前記第１のチャンバは、第１の容量を有し、前記第２のチャンバは、第２の容量を有し、前記第１の容量は、前記第２の容量とは異なる、ハウジングと、
（ｂ）前記チャンバのうちの少なくとも１つの内部に軸方向に受容されるように構成され、組織標本を受容するように構成される、少なくとも１つのトレーと、
を含み、
前記組織標本ホルダーは、チャンバを選択的に割出しして、割出しされた前記チャンバ内に前記組織標本を受容するように動作可能であり、
前記組織標本ホルダーは、前記第１のチャンバが割出しされる第１の角度位置と前記第２のチャンバが割出しされる第２の角度位置とを含む、少なくとも２つの角度位置を通って、前記ハウジングを選択的に回転させるように動作可能である、組織標本ホルダー。
【請求項１５】
請求項１４に記載の組織標本ホルダーにおいて、
前記ハウジングは、
（ｉ）近位エッジおよび遠位エッジを有し、中央ボアを画定する、外側部材と、
（ｉｉ）前記外側部材から延びる、半径方向に延びる複数の壁と、
（ｉｉｉ）前記半径方向に延びる複数の壁の内側端部間に延びる内側部材であって、前記内側端部は、前記外側部材から離間しており、前記外側部材、前記内側部材、および前記壁は、前記少なくとも２つの組織標本チャンバのうちの少なくとも１つを画定する、内側部材と、
をさらに含み、
前記外側部材の第１の部分、前記内側部材、前記複数の壁の第１の外壁、および前記複数の壁の第２の外壁は、第１のチャンバを画定し、
前記外側部材の第２の部分、前記内側部材、および前記複数の壁のうちの少なくとも２つの壁は、前記少なくとも２つのチャンバのうちの第２のチャンバを画定し、
前記第１のチャンバは、前記第２のチャンバとは切り離されている、組織標本ホルダー。
【請求項１６】
請求項１５に記載の組織標本ホルダーにおいて、
前記チャンバのうちの各チャンバは、近位端部および遠位端部を含み、
前記近位端部は、トレーを受容するように構成され、
前記遠位端部は、前記プローブに近接して位置付けられるように構成され、
前記ハウジングの前記半径方向に延びる複数の壁は、前記近位端部と前記遠位端部との間に延びる、組織標本ホルダー。
【請求項１７】
請求項１５に記載の組織標本ホルダーにおいて、
前記少なくとも１つのトレーは、
（ｉ）それぞれが近位エッジおよび遠位エッジを有する、一対の側壁と、
（ｉｉ）前記側壁と係合する基部端壁であって、近位エッジおよび遠位エッジを有し、孔を画定する、基部端壁と、
（ｉｉｉ）前記側壁の前記近位エッジおよび前記基部端壁の前記近位エッジに連結された床部と、
を含み、
前記トレーは、前記少なくとも２つの組織標本チャンバのうちの１つのチャンバ内部に受容されるように構成され、前記トレーの前記側壁の前記遠位エッジは、それぞれの前記チャンバ内に受容されるように構成される、組織標本ホルダー。
【発明の詳細な説明】
【開示の内容】
【０００１】
〔背景〕
生検標本は、さまざまな装置を使用した種々の医療処置においてさまざまな方法で得られてきた。生検装置は、定位誘導、超音波誘導、ＭＲＩ誘導、ＰＥＭ誘導、ＢＳＧＩ誘導、またはその他の下で使用され得る。例えば、一部の生検装置は、ユーザーが片手で十分に操作可能であり、１回の挿入で、患者から１つまたは複数の生検標本を捕捉することができる。さらに、一部の生検装置は、例えば流体（例えば、加圧空気、食塩水、大気、真空など）の連通のため、電力伝達のため、および／またはコマンドなどの通信のために、真空モジュールおよび／または制御モジュールにつながれることができる。他の生検装置は、別の装置とつながれたり、別様に接続されたりせずに、完全に、または少なくとも部分的に動作可能とすることができる。
【０００２】
単に例示的な生検装置が、以下に開示されている：「Method and Apparatus for Automated Biopsy and Collection of Soft Tissue」の名称で１９９６年６月１８日に発行された米国特許第５，５２６，８２２号；「Control Apparatus for an Automated Surgical Biopsy Device」の名称で２０００年７月１１日に発行された米国特許第６，０８６，５４４号；「MRI Compatible Surgical Biopsy Device」の名称で２００３年９月３０日に発行された米国特許第６，６２６，８４９号；「Biopsy Apparatus and Method」の名称で２００６年４月６日に公開された米国特許出願公開第２００６／００７４３４５号；「Remote Thumbwheel for a Surgical Biopsy Device」の名称で２００８年１０月２８日に発行された米国特許第７，４４２，１７１号；「Presentation of Biopsy Sample by Biopsy Device」の名称で２００８年９月４日に公開された米国特許出願公開第２００８／０２１４９５５号；「Clutch and Valving System for Tetherless Biopsy Device」の名称で２０１０年１２月２１日に発行された米国特許第７，８５４，７０６号；「Hand Actuated Tetherless Biopsy Device with Pistol Grip」の名称で２０１０年６月１７日に公開された米国特許出願公開第２０１０／０１５２６１０号；「Biopsy Device with Central Thumbwheel」の名称で２０１０年６月２４日に公開された米国特許出願公開第２０１０／０１６０８１９号；「Biopsy Device with Discrete Tissue Chambers」の名称で２０１０年６月２４日に公開された米国特許出願公開第２０１０／０１６０８２４号；「Tetherless Biopsy Device with Reusable Portion」の名称で２０１０年１２月１６日に公開された米国特許出願公開第２０１０／０３１７９９７号；「Handheld Biopsy Device with Needle Firing」の名称で２０１０年１１月２４日に出願された米国非仮特許出願第１２／９５３，７１５号；「Biopsy Device with Motorized Needle Firing」の名称で２０１１年４月１４日に出願された米国非仮特許出願第１３／０８６，５６７号。前記に列挙した米国特許、米国特許出願公開、および米国非仮特許出願それぞれの開示は、参照により本明細書に組み込まれる。
【０００３】
いくつかのシステムおよび方法が、生検標本を入手するために作られ使用されてきたが、発明者らより前に、請求項に記載する発明を行うか、または使用した者はいないと考える。
【０００４】
本明細書は、本発明を具体的に指し示し明白に主張する請求項で締めくくられるが、本発明は、添付図面と共に理解される特定の実施例に関する以下の説明から、よりよく理解されると考えられる。添付図面では、同様の参照符号が、同じ要素を特定している。図面では、いくつかの構成要素、または構成要素の一部が、破線で描かれているように、透視図で示されている。
【０００５】
図面は、限定的とすることを決して意図しておらず、本発明のさまざまな実施形態が、図面には必ずしも描かれていないものを含め、さまざまな他の方法で実行され得ることを企図している。本明細書に組み込まれ、その一部を形成する添付図面は、本発明のいくつかの態様を示しており、説明と共に、本発明の原理の説明に役立つものであるが、本発明は、図示する厳密な構成に限定されないことが理解される。
【０００６】
〔詳細な説明〕
本発明の特定の実施例に関する以下の説明は、本発明の範囲を制限するために使用されるべきではない。本発明の他の実施例、特徴、態様、実施形態、および利点が、以下の説明から当業者には明らかとなるであろう。以下の説明は、例として、本発明を実施するために企図される最良の方式のうちの１つである。認識されるであろうが、本発明は、本発明から逸脱しない、他の異なる明らかな態様が可能である。したがって、図面および説明は、例示的な性質のものとみなされるべきであり、限定的なものではない。
【０００７】
Ｉ．例示的な生検装置の概観
図１に示すように、例示的な生検システム（２）は、生検装置（１０）と、真空制御モジュール（１４００）とを含む。図３〜図４に示すように、生検装置（１０）は、プローブ（１００）、ホルスター（７００）、および組織標本ホルダー（３００）を含む。以下でさらに詳細に説明するように、また図４に示すように、プローブ（１００）は、その対応するホルスター（７００）から切り離すことができる。
【０００８】
ほんの一例として、プローブ（１００）は、使い捨て構成要素として提供されてよく、ホルスター（７００）は、再利用可能な構成要素として提供されてよい。真空制御モジュール（１４００）は、本実施例ではカート（不図示）上に設けられるが、本明細書に記載する他の構成要素のように、カートは単なるオプションである。生検装置（１０）に電気的および機械的通信を提供し、真空制御モジュール（１４００）との電気的通信を提供するために、制御モジュールインターフェース（不図示）が生検装置（１０）と真空制御モジュール（１４００）との間に設けられてもよい。ほんの一例として、制御モジュール（１４００）は、開示が参照により本明細書に組み込まれる、「Presentation of Biopsy Sample by Biopsy Device」の名称で２００８年９月４日に公開された米国特許出願公開第２００８／０２１４９５５号の教示の少なくとも一部に従って構築され、動作可能とすることができる。本明細書に記載する他の構成要素の中でも、フットスイッチ（不図示）および／または他の装置が、生検システム（２）の少なくとも一部の、少なくともある程度の制御を提供するために使用され得る。図１に示すように、導管（１２００）が、真空制御モジュール（１４００）から生検装置（１０）への、力（例えば、ケーブルを通じた機械力、電力、空気動力など）、制御信号、食塩水、真空、および通気の伝達を提供する。これらの構成要素はそれぞれ、以下でさらに詳細に説明する。
【０００９】
図２〜図４は、例示的な生検装置（１０）を示す。前記のとおり、この実施例の生検装置（１０）は、プローブ（１００）と、ホルスター（７００）とを含む。図３〜図４を参照すると、針（１１０）がプローブ（１００）から遠位に延びており、以下でさらに詳細に説明するように、組織標本を入手するために患者の組織に挿入される。これらの組織標本は、やはり以下でさらに詳細に説明するように、プローブ（１００）の近位端部にある組織標本ホルダー（３００）内に堆積される。本明細書で用語「ホルスター」が使用されることは、プローブ（１００）の任意の部分が、ホルスター（７００）の任意の部分に挿入されることを必要とするものとして読むべきではないことも、理解されたい。本実施例では、図４に示すように、突起（１０２）が、プローブ（１００）をホルスター（７００）に取り外し可能に固定するのに使用されるが、さまざまな他のタイプの構造、構成要素、特徴など（例えば、差込ピン取付台（bayonet mounts）、ラッチ、クランプ、クリップ、スナップフィット（snap fittings）など）が、プローブ（１００）とホルスター（７００）との取り外し可能な連結を提供するのに使用され得ることを、理解されたい。さらに、一部の生検装置（１０）では、プローブ（１００）およびホルスター（７００）は、一体的または統合された構造のものであってよく、これら２つの構成要素は、分離できないようになっている。ほんの一例として、プローブ（１００）およびホルスター（７００）が分離可能な構成要素として設けられるバージョンでは、プローブ（１００）は、使い捨て構成要素として提供されてよく、ホルスター（７００）は、再利用可能な構成要素として提供されてよい。プローブ（１００）とホルスター（７００）との間のさらに他の適切な構造的および機能的関係は、本明細書の教示を鑑みれば、当業者には明らかであろう。
【００１０】
生検装置（１０）のいくつかの変形体は、１つまたは複数のセンサー（不図示）を、プローブ（１００）内および／またはホルスター（７００）内に含んでよく、このセンサーは、プローブ（１００）がホルスター（７００）にいつ連結されたのかを検出するように構成される。このようなセンサーまたは他の特徴部は、あるタイプのプローブ（１００）およびホルスター（７００）のみが互いに連結されることを可能にするようにさらに構成され得る。さらに、または代わりに、このようなセンサーは、適切なプローブ（１００）およびホルスター（７００）が互いに連結されるまで、プローブ（１００）および／またはホルスター（７００）の１つまたは複数の機能を無効にするように構成され得る。当然、このようなセンサーおよび特徴部は、所望により変更または省略されてよい。
【００１１】
図２に示すようないくつかのバージョンでは、生検装置（１０）は、真空ポンプなどの真空源（８００）を含む。ほんの一例として、真空源（８００）は、プローブ（１００）に組み込まれ、ホルスター（７００）に組み込まれ、かつ／またはまったく別個の構成要素であってよい。真空源（８００）がプローブ（１００）およびホルスター（７００）とは分離されているバージョンでは、真空源（８００）は、（真空制御モジュール（１４００）および導管（１２００）として図１の実施例に図示されており、以下でさらに詳細に説明するような）可撓性チューブ（１４０２、１４０８）などの１つまたは複数の導管により、プローブ（１００）および／またはホルスター（７００）と連結され得る。図２に示すように、真空源（８００）は、組織標本ホルダー（３００）および針（１１０）と流体連通している。よって、真空源（８００）は、針（１１０）または針部分の側方孔（１１４）に組織を引き込むように作動され得る。組織標本ホルダー（３００）はまた、カッター（２００）と流体連通している。よって、真空源（８００）は、カッター（２００）の中空内部を通じて組織標本ホルダー（３００）内に、切断された組織標本を引き込むように作動されることもできる。真空源（８００）を使用し得る他の適切な方法は、本明細書の教示を鑑みれば当業者には明らかであろう。真空源（８００）が所望により単に省略され得ることも理解されたい。
【００１２】
いくつかのバージョンでは、真空源（８００）は、前記の参照により開示が組み込まれる、米国特許出願公開第２００８／０２１４９５５号の教示に従って提供される。さらに、または、代わりに、真空源（８００）は、前記の参照により開示が組み込まれる、米国非仮特許出願第１２／９５３，７１５号の教示に従って提供され得る。さらに別の単に例示的な実施例として、真空源（８００）は、開示が参照により本明細書に組み込まれる、「Biopsy Device with Auxiliary Vacuum Source」の名称で２０１０年２月２２日に出願された米国非仮特許出願第１２／７０９，６９５号の教示に従って提供され得る。真空源（８００）を提供し得るさらに他の適切な方法は、本明細書の教示を鑑みれば当業者には明らかであろう。
【００１３】
本実施例の生検装置（１０）は、台または固定物に据え付けられるように構成され、また、定位誘導下で使用される。当然、生検装置（１０）は、代わりに、超音波誘導、ＭＲＩ誘導、ＰＥＭ誘導、ＢＳＧＩ誘導下、またはその他で使用されることができる。生検装置（１０）がユーザーの片手で操作され得るように生検装置（１０）がサイズ決めされ構成され得ることも理解されたい。具体的には、ユーザーは、生検装置（１０）をつかみ、針（１１０）を患者の乳房に挿入し、患者の乳房内から１つまたは複数の組織標本を収集することができ、これらをすべて片手だけで行う。あるいは、ユーザーは、２つ以上の手で、かつ／または、任意の所望の助けを得て、生検装置（１０）をつかむことができる。一部の環境では、ユーザーは、針（１１０）を患者の乳房に１回挿入しただけで、複数の組織標本を捕捉することができる。このような組織標本は、組織標本ホルダー（３００）の中に空気圧で堆積され、その後、分析のために組織標本ホルダー（３００）から回収されることができる。本明細書に記載される実施例は、しばしば、患者の乳房から生検標本を入手することに言及しているが、生検装置（１０）が、さまざまな他の目的でさまざまな他の処置で、また、患者の解剖学的構造のさまざまな他の部分（例えば、前立腺、甲状腺など）で、使用され得ることを理解されたい。生検装置（１０）の様々な例示的な構成要素、特徴部、構成、および操作性を以下でさらに詳細に説明するが、他の適切な構成要素、特徴部、構成、および操作性は、本明細書の教示を鑑みれば、当業者には明らかであろう。
【００１４】
図１に示すように、例示的な真空キャニスター（１５００）は、真空制御モジュール（１４００）と連結されるように構成される。真空制御モジュール（１４００）は、真空キャニスター（１５００）を通じて真空を誘導するように動作可能であり、このような真空は、生検プローブ（１００）に伝えられ得る。例えば、真空制御モジュール（１４００）は、チューブ（１４０４）を通して真空を伝えることができ、チューブ（１４０４）は、次に、以下に記載するように、組織標本ホルダー（３００）を通じて、プローブ（１００）のカッター内腔（不図示）に真空を伝えることができる。真空制御モジュール（１４００）は、図３〜図４に示すように、チューブ（１４０２）を通じて、ハブ部材またはハブ（１５０）のマニホールドに真空を伝えることもでき、このマニホールドは、次に、真空を、針（１１０）の外側カニューレ（１１１）の真空内腔（不図示）に伝えることができる。
【００１５】
さらに、真空キャニスター（１５００）は、生検プローブ（１００）の使用中に生検プローブ（１００）から送られた流体を収集するように動作可能である。よって、真空キャニスター（１５００）は、生検プローブ（１００）と真空制御モジュール（１４００）との間に流体界面を与えるものとしてみなされ得る。参照により開示が本明細書に組み込まれる、「Presentation of Biopsy Sample by Biopsy Device」の名称で２００８年９月４日に公開された米国特許出願公開第２００８／０２１４９５５号、および「Biopsy Device with Discrete Tissue Chambers」の名称で２０１０年６月２４日に公開された米国特許出願公開第２０１０／０１６０８２４号に記載されたものなど、任意の適切な真空制御モジュールおよび真空キャニスターが使用され得る。さらに、任意の他の適切な構成要素、システム、技術、または装置が、適切な制御モジュールまたは真空キャニスターと共に使用され得る。
【００１６】
図１に示すように、チューブ（１４０８）は、チューブ（１４０２）内へ送り込まれる。チューブ（１４１０）も、チューブ（１４０２）内へ送り込まれる。具体的には、コネクタ（１４４６）が、食塩水チューブ（１４０８）をチューブ（１４０２）と接続する。図示のとおり、コネクタ（１４４６）は、キャニスター（１５００）に隣接して設けられ、コネクタ（１４４８）が、生検プローブ（１００）付近に設けられる。本実施例では、コネクタ（１４４６、１４４８）は単に、チューブ（１４１０、１４０２）およびチューブ（１４０８、１４０２）それぞれの間に、常に開いた導管を提供する。いくつかの他のバージョンでは、コネクタ（１４４６、１４４８）は、任意の他の適切な構成要素（例えば、弁など）を有し得る。チューブ（１４０２、１４０８、１４１０）およびコネクタ（１４４６、１４４８）の構成により、真空、ベント（vent）、または食塩水のいずれかが、チューブ（１４０２）を通じて伝えられ得ることが、本明細書の開示を考慮すれば、理解されるであろう。チューブ（１４０２）を通して、これらのうちのどれを伝えるかという例示的な決定については、以下でさらに詳細に説明する。また、図示のとおり、食塩水バッグ（１４４４）が、任意の適切な従来の取り付け部品（fitting）を用いて、チューブ（１４０８）と連結される。
【００１７】
本実施例の真空制御モジュール（１４００）は、ホルスター（７００）のモーターを制御するように動作可能なコントローラ（１４８０）も含み得る。ほんの一例として、制御モジュール（１４００）は、参照により開示が本明細書に組み込まれる、「Vacuum Timing Algorithm for Biopsy Device」の名称で２０１１年５月１０日に発行された米国特許第７，９３８，７８６号の教示の少なくとも一部に従って構築され、動作可能とされてよい。真空、食塩水、他の流体および／または制御を与え得る、他の適切な方法は、本明細書の教示を鑑みれば当業者には明らかであろう。
【００１８】
ＩＩ．例示的なプローブ
図２〜図４に示すように、本実施例のプローブ（１００）は、遠位に延びる針（１１０）を含む。プローブ（１００）は、シャシー（１２０）および上方ハウジング（１３０）も含み、これらは互いにしっかりと固定されている。図４で最もよく分かるように、歯車（１４０）が、シャシー（１２０）の開口部（１４２）を通して露出されており、プローブ（１００）のカッター作動機構（２０２）（図２）を駆動するように動作可能である。やはり図４で分かるように、別の歯車（１４４）が、シャシー（１２０）の別の開口部（１４６）を通って露出されており、針（１１０）を回転させるように動作可能である。プローブ（１００）の歯車（１４０）は、プローブ（１００）およびホルスター（７００）が互いに連結されると、ホルスター（７００）の露出した歯車（７４０）と噛み合う。同様に、プローブ（１００）の歯車（１４４）は、プローブ（１００）およびホルスター（７００）が互いに連結されると、ホルスター（７００）の露出した歯車（７４４）と噛み合う。
【００１９】
以下でさらに詳細に説明するように、組織標本ホルダー（３００）は、プローブ（１００）の後方部材に取り外し可能に固定されるが、組織標本ホルダー（３００）は、代わりに、プローブ（１００）の何か他の構成要素に固定されてもよい。前記のとおり、図２〜図４には示していないが、一対のチューブ（１４０２、１４０４）が、プローブ（１００）との流体連通をもたらすように、プローブ（１００）と連結される。
【００２０】
プローブ（１００）の適切な構成は、本明細書の教示を鑑みれば当業者には明らかであろう。例えば、プローブ（１００）は、開示が参照により本明細書に組み込まれる、「Presentation of Biopsy Sample by Biopsy Device」の名称で２００８年９月４日に公開された米国特許出願公開第２００８／０２１４９５５号の教示のいずれかに従って構成され得る。プローブ（１００）を構成し得る他の方法は、以下に開示されている：開示が参照により本明細書に組み込まれる、「Mechanical Tissue Sample Holder Indexing Device」の名称で２０１０年６月２４日に公開された米国特許出願公開第２０１０／０１６０８１６号；開示が参照により本明細書に組み込まれる、「Biopsy Device With Sliding Cutter Cover」の名称で２０１０年６月２４日に公開された米国特許出願公開第２０１０／０１６０８２１号；開示が参照により本明細書に組み込まれる、「Biopsy Device with Central Thumbwheel」の名称で２０１０年６月２４日に公開された米国特許出願公開第２０１０／０１６０８１９号；開示が参照により本明細書に組み込まれる、「Biopsy Device with Motorized Needle Firing」の名称で２０１１年４月１４日に出願された、米国非仮特許出願第１３／０８６，５６７号；および／または、開示が参照により本明細書に組み込まれる、「Biopsy Device with Discrete Tissue Chambers」の名称で２０１０年６月２４日に公開された米国特許出願公開第２０１０／０１６０８２４号。代替的技術、材料および構成を含む、プローブ（１００）を形成し得る、さらに他の方法は、本明細書の教示を鑑みれば当業者には明らかであろう。
【００２１】
Ａ．例示的な針
本実施例の針（１１０）は、貫通先端部（１１２）、先端部（１１２）より近位に位置する側方孔（１１４）、およびハブ部材（１５０）を含む。組織貫通先端部（１１２）は、多量の力を必要とせず、また先端部（１１２）の挿入前に組織に開口部を予め形成することも必要とせず、組織を貫通し穿通するように構成される。あるいは、先端部（１１２）は、必要に応じて、とがっていなくてもよい（例えば、丸みを帯びる、平らであるなど）。先端部（１１２）はまた、針（１１０）の他の部分よりも大きなエコー発生性を提供するように構成されてよく、超音波撮像下で先端部（１１２）の視認性を増大させる。ほんの一例として、先端部（１１２）は、参照により開示が本明細書に組み込まれる、「Echogenic Needle for Biopsy Device」の名称で２０１０年９月３日に出願された米国非仮特許出願第１２／８７５，２００号の教示のいずれかに従って、構成されてよい。先端部（１１２）に使用され得る他の適切な構成は、本明細書の教示を鑑みれば、当業者には明らかであろう。
【００２２】
側方孔（１１４）は、装置（１０）の操作中に脱出した組織を受け取るようにサイズ決めされる。鋭利な遠位エッジ（不図示）を有する中空管状カッター（２００）が、針（１１０）内部に位置する。カッター（２００）は、針（１１０）に対して回転および並進し、側方孔（１１４）を通り過ぎ、側方孔（１１４）を通って突出する組織から組織標本を切断するように動作可能である。例えば、カッター（２００）は、延出位置から後退位置まで動くことができ、これにより、側方孔（１１４）を「開いて」、側方孔を通して組織を突出させ、その後、後退位置から延出位置に戻って、突出する組織を切断することができる。側方孔（１１４）は、図３では上方位置を向けられて図示されているが、針（１１０）は、側方孔（１１４）を、針（１１０）の長さ方向軸周辺の任意の所望の角度位置に向けるように回転され得ることを、理解されたい。針（１１０）のこのような回転は、本実施例では、ハブ部材（１５０）によって、促進される。
【００２３】
本実施例のハブ部材（１５０）は、針（１１０）の周りにオーバーモールドされてよく、ハブ部材（１５０）および針（１１０）は、互いと一体的に回転および並進する。ほんの一例として、針（１１０）は金属から形成されてよく、ハブ部材（１５０）は、針（１１０）の周りにオーバーモールドされてハブ部材（１５０）を針（１１０）に一体的に固定して形成する、プラスチック材料で形成されてよい。ハブ部材（１５０）および針（１１０）は、代わりに、任意の他の適切な材料で形成されてよく、また、任意の他の適切な様式で、互いに固定されてよい。ハブ部材（１５０）は、環状フランジ（１５２）および指回し式円形板（１５４）を含む。歯車（１４４）は、ハブ部材（１５０）の近位部分（１５０）上にスライド可能かつ同軸に配され、ハブ部材（１５０）に連動され（keyed）、歯車（１４４）の回転によりハブ部材（１５０）および針（１１０）が回転するが、ハブ部材（１５０）および針（１１０）は、歯車（１４４）に対して並進することはできないようになっている。歯車（１４４）は、歯車（７４４）により回転可能に駆動される。あるいは、針（１１０）は、指回し式円形板（１５４）を回転させることにより、回転し得る。針（１１０）を手動で回転させ得る、様々な他の適切な方法が、本明細書の教示を鑑みれば当業者には明らかであろう。本明細書に引用するさまざまな参考文献に記載される自動的な針回転のさまざまな形態を含むがこれらに限定されない、種々の方法で、針（１１０）の回転が自動化され得ることも、理解されたい。針（１１０）は、特に、例えば針発射機構（４００）（図２）によって、シャシー（１２０）および上方ハウジング（１３０）に対して長さ方向に並進され得る。
【００２４】
本明細書に記載する他の構成要素と同様に、針（１１０）が、様々な方法で変更、改変、置換、または補足されてよいこと、ならびに針（１１０）が、さまざまな代替的特徴部、構成要素、構成、および機能性を有してよいことを理解されたい。複数の外側開口部（不図示）が、針（１１０）に形成されてもよく、また、内腔（不図示）と流体連通していてもよい。例えば、このような外側開口部は、開示が参照により本明細書に組み込まれる、「Biopsy Device with Vacuum Assisted Bleeding Control」の名称で２０１１年４月５日に発行された米国特許第７，９１８，８０４号の教示に従って構成されてよい。カッター（２００）は、１つまたは複数の側部開口部（不図示）を含んでもよい。当然、本明細書に記載する他の構成要素と同様に、針（１１０）およびカッター（２００）における、このような外側開口部は、単なるオプションである。別の単に例示的な実施例として、針（１１０）は、参照により開示が本明細書に組み込まれる、「Presentation of Biopsy Sample by Biopsy Device」の名称で２００８年９月４日に公開された米国特許出願公開第２００８／０２１４９５５号の教示に従って、かつ／または、本明細書で引用する任意の他の参考文献の教示に従って、構築され、動作可能とされてよい。
【００２５】
プローブ（１００）は、針（１１０）の少なくとも一部と流体連通している弁組立体も含んでよく、弁組立体は、カッター（２００）の長さ方向位置など、任意の適切な状態に基づいて、針（１１０）の少なくとも一部の空気圧状態（pneumatic state）を選択的に変化させる。ほんの一例として、このような弁組立体は、開示が参照により本明細書に組み込まれる、「Tetherless Biopsy Device with Reusable Portion」の名称で２０１０年１２月１６日に公開された米国特許出願公開第２０１０／０３１７９９７号の教示に従って、かつ、開示が参照により本明細書に組み込まれる、「Handheld Biopsy Device with Needle Firing」の名称で２０１０年１１月２４日に出願された、米国非仮特許出願第１２／９５３，７１５号の教示に従って、または別様に、構築され動作可能とされてよい。さらに、または代わりに、弁調節（valving）は、開示が参照により本明細書に組み込まれる、「Presentation of Biopsy Sample by Biopsy Device」の名称で２００８年９月４日に公開された米国特許出願公開第２００８／０２１４９５５号で教示されるものなどの、真空源（８００）（図２）および／または真空キャニスターにより提供されてよい。針（１１０）の他の適切な代替的バージョン、特徴、構成要素、構成および機能性は、本明細書の教示を鑑みれば当業者には明らかであろう。
【００２６】
Ｂ．例示的なカッター作動機構
前記のとおり、カッター（２００）は、針（１１０）に対して回転および並進し、側方孔（１１４）を通り過ぎて、側方孔（１１４）を通って突出する組織から組織標本を切断するように動作可能である。カッター（２００）のこの作用は、カッター作動機構（２０２）によりもたらされる。カッター作動機構（２０２）は、本実施例では主にプローブ（１００）内に位置付けられるが、カッター作動機構（２０２）は、ホルスター（７００）内に、かつ／またはプローブ（１００）およびホルスター（７００）双方の中に、主として位置付けられてよいことを、理解されたい。カッター作動機構（２０２）は、噛み合い歯車（１４０、７４０）を含み、歯車（７４０）は、モーター（２０４）により駆動される。モーター（２０４）は、本実施例ではホルスター（７００）内に位置するが、モーター（２０４）は、代わりに、プローブ（１００）内および／または他の場所に位置してもよいことを理解されたい。
【００２７】
ほんの一例として、カッター作動機構（２０２）は、前記の参照により開示が組み込まれる米国特許出願公開第２００８／０２１４９５５号の教示に従って、構築され、動作可能とされてよい。単に例示的な別の実施例として、カッター作動機構（２０２）は、前記参照により開示が組み込まれる米国特許出願公開第２０１０／０３１７９９７号の教示に従って、構築され、動作可能とされ得る。さらに別の単に例示的な実施例として、カッター作動機構（２０２）は、開示が参照により本明細書に組み込まれる、「Tetherless Biopsy Device with Self-Reversing Cutter Drive Mechanism」の名称で２０１０年１１月１８日に公開された米国特許出願公開第２０１０／０２９２６０７号の教示に従って構築され、動作可能とされ得る。あるいは、カッター作動機構（２０２）は、本明細書に引用した任意の他の参考文献の教示に従って構築されてもよい。生検装置（１０）は、カッター（２００）が並進しないように（例えばカッター（２００）が単に回転するように、など）、またはカッター（２００）が回転しないように（例えばカッター（２００）が単に並進するように、など)、構成され得ることも理解されたい。別の単に例示的な実施例として、カッター（２００）は、機械的構成要素により作動されることに加え、または、その代わりに、空気圧で作動され得る。カッター作動機構（２０２）の、他の適切な代替的バージョン、特徴部、構成要素、構成、および機能性は、本明細書の教示を鑑みれば、当業者には明らかであろう。
【００２８】
Ｃ．例示的なカッター
中空カッター（２００）が、本実施例では、外側カニューレ（１１１）のカニューレ内腔内部に配される。カッター（２００）の内部は、カッター内腔を画定し、流体および組織は、このカッター内腔を経由してカッター（２００）を通って送られ得る。以下でさらに詳細に説明するように、カッター（２００）は、外側カニューレ（１１１）のカニューレ内腔内部で回転し、かつ外側カニューレ（１１１）のカニューレ内腔内部で軸方向に並進するように構成される。具体的には、カッター（２００）は、外側カニューレ（１１１）の横向き孔（１１４）を通って突出する組織から生検標本を切断するように構成される。以下でさらに詳細に説明するように、カッター（２００）は、切断された組織標本がカッター内腔を通って近位に送られ得るように、さらに構成される。このような切断、および近位に送ることの、単に例示的な実施例は、参照により開示が本明細書に組み込まれる、「Method and Apparatus for Automated Biopsy and Collection of Soft Tissue」の名称で１９９６年６月１８日に発行された米国特許第５，５２６，８２２号に記載されているが、任意の他の適切な構造または技術が、生検システム（２）内部で組織標本を切断し、かつ／または送るために使用され得る。代替的な技術および材料を含め、カッター（２００）を構成するかまたは取り扱うことのできる、さらに他の方法は、本明細書の教示を鑑みれば当業者には明らかであろう。
【００２９】
Ｄ．例示的な組織標本ホルダー
以下でさらに詳細に説明する、本実施例の組織標本ホルダー（３００）は、外側カップ（３０３）と、回転可能なマニホールドまたは内側ハウジング（３０４）とを含み、回転可能なマニホールドまたは内側ハウジング（３０４）は、カッター（２００）により切断され、カッター（２００）の中空内部を通って近位に送られた組織標本を受容するように構成された、複数のチャンバを含む。組織標本ホルダー（３００）は、１つまたは複数の取り外し可能なトレーも含み、この取り外し可能なトレーにより、ユーザーは、組織標本ホルダー（３００）をシャシー（１２０）から取り外す必要なしに、切断された組織標本を組織標本ホルダー（３００）から取り出すことができる。組織標本ホルダー（１３０）は、以下で詳細に説明されるように、内側ハウジングまたは回転可能なマニホールドをさらに含んでよく、内側ハウジングまたは回転可能なマニホールドは、真空源（８００）およびカッター（２００）と流体連通しており、また、カッター（２００）に対しチャンバを連続して割出す（index）ように回転可能である。具体的には、マニホールドは、モーター（３０１）により駆動される、組織標本ホルダー回転機構（３０２）により回転させられる。組織標本ホルダー回転機構（３０２）および／またはモーター（３０１）の少なくとも一部が、プローブ（１００）内、ホルスター（７００）内、または、プローブ（１００）およびホルスター（７００）双方の中に組み込まれ得ることを、理解されたい。組織標本ホルダー（３００）のいくつかのバージョンが、手動で、空気圧で、または別様に駆動され得ることも、理解されたい。
【００３０】
ほんの一例として、組織標本ホルダー（３００）は、前記の参照により開示が組み込まれる、米国特許出願公開第２００８／０２１４９５５号の教示に従って、構築され、動作可能とされてよい。単に例示的な別の実施例として、組織標本ホルダー（３００）は、開示が参照により本明細書に組み込まれる、「Biopsy Device with Discrete Tissue Chambers」の名称で２０１０年６月２４日に公開された米国特許出願公開第２０１０／０１６０８２４号の教示に従って、構築され、動作可能とされてよい。さらに別の単に例示的な実施例として、組織標本ホルダー（３００）は、開示が参照により本明細書に組み込まれる、「Biopsy Sample Storage」の名称で２００８年９月１１日に公開された米国特許出願公開第２００８／０２２１４８０号の教示に従って、構築され、動作可能とされてよい。
【００３１】
本明細書に開示された実施例の外側カップ（３０３）は、遠位端部および近位端部を画定する円筒形状を有するが、任意の他の適切な形状または構成を使用することができる。外側カップ（３０３）は、差込ピン式（bayonet fashion）にプローブ（１００）に係合するように構成され、外側カップ（３０３）は、選択的に、プローブ（１００）から取り外されるか、またはプローブに固定されることができる。より具体的には、外側カップ（３０３）の遠位端部は、外側カップ（３０３）がプローブ（１００）に対して十分に回転すると、プローブ（１００）の突出部（不図示）に係合することができる、複数のスロット（３０５）を含む。外側カップ（３０３）とプローブ（１００）との間に選択的な係合をもたらす、他の適切な構成は、本明細書の教示を鑑みれば当業者には明らかであろう。さらに、カップ（３０３）は、ハウジング（３０４）がカップ（３０３）内部で回転する間、静止したままである。カップ（３０３）はまた、全体として組織標本ホルダー（３０２）に追加的な密封をもたらすこともできる。しかしながら、本明細書に記載する他の構成要素のように、カップ（３０３）は単にオプションであり、所望により、省略されるか、もしくはいくつかの方法で変化され得ることを、理解されたい。組織標本ホルダー（３００）を構築し、動作可能とし得る、さらに他の適切な方法は、本明細書の教示を鑑みれば当業者には明らかであろう。
【００３２】
ＩＩＩ．例示的なホルスター
図３〜図４に示すように、本実施例のホルスター（７００）は、上方ハウジングカバー（７０２）、サイドパネル（７０４）、およびハウジング基部（７０６）を含み、これらは互いにしっかり固定されている。図４で最もよく分かるように、また前述のとおり、歯車（７４０、７４４）は、上方ハウジングカバー（７０２）を通って露出されており、プローブ（１００）およびホルスター（１２０）が互いに連結されるとプローブ（１００）の歯車（１４０、１４４）と噛み合う。具体的には、歯車（７４０、１４０）は、カッター作動機構（２０２）を駆動し、歯車（７４４、１４４）は、針（１１０）を回転させるのに使用される。以下でさらに詳細に説明するように、ホルスター（７００）は、発射ロッド（７３０）および分岐部（７３２）も含み、これらは、針（１１０）と連結されて、針（１１０）を遠位に発射する。
【００３３】
本明細書で言及されるすべてのモーター（２０４、３０４、４０２）は、本実施例ではホルスター（７００）内部に収容され、ケーブル（７２０）により外部電源から電力を受け取る。さらに、または代わりに、所望により、データが、ケーブル（７２０）を介して、ホルスター（７００）から、かつ／またはホルスター（７００）へ、通信され得る。他のいくつかのバージョンでは、モーター（２０４、３０４、４０２）は、ホルスター（７００）および／またはプローブ（１００）内部に位置する１つまたは複数のバッテリーにより電力供給される。したがって、本明細書に記載する他の構成要素と同様に、ケーブル（７２０）は単にオプションであることを、理解されたい。単に例示的なさらに別の変形体として、モーター（２０４、３０４、４０２）は、空気圧で電力供給されてもよく、ケーブル（７２０）は、加圧流体媒質をホルスター（７００）に送る導管と置き換えられてよい。さらに他の単に例示的な変形体として、ケーブル（７２０）は、ホルスター（７００）の外部に位置するモーター（２０４、３０４、４０２）により駆動される１つまたは複数の回転駆動ケーブルを含み得る。モーター（２０４、３０４、４０２）のうち２つまたは３つが、単一のモーターとして組み合わせられ得ることも理解されたい。様々な機構（２０２、３０２、４００）が駆動され得る、他の適切な方法は、本明細書の教示を鑑みれば当業者には明らかであろう。
【００３４】
Ａ．例示的な針回転機構
前記のとおり、歯車（７４４）の回転により、針（１１０）がプローブ（１００）に対して回転する。本実施例では、歯車（７４４）は、ノブ（７１０）を回転させることにより回転される。具体的には、ノブ（７１０）は、一連の歯車（不図示）およびシャフト（不図示）により歯車（７４４）と連結され、ノブ（７１０）の回転により、歯車（７４４）が回転する。第２のノブ（７１０）が、ホルスター（７００）のもう一方の側から延びている。ほんの一例として、このような針回転機構は、参照により開示が本明細書に組み込まれる、米国特許出願公開第２００８／０２１４９５５号の教示に従って、構築され得る。単に例示的な別の実施例として、針回転機構は、前記の参照により開示が組み込まれる、米国特許出願公開第２０１０／０１６０８１９号の教示に従って、構築され得る。いくつかの他のバージョンでは、針（１１０）は、モーターにより回転する。さらに他のバージョンでは、針（１１０）は単に、指回し式円形板（１５４）を回転させることにより回転する。針（１１０）を回転させ得る、様々な他の適切な方法は、本明細書の教示を鑑みれば当業者には明らかであろう。いくつかのバージョンは、針（１１０）の回転をもたらさない場合があることも理解されたい。
【００３５】
Ｂ．例示的な針発射機構
本実施例のホルスター（７００）は、装填位置から針（１１０）を発射するように動作可能な針発射機構（４００）をさらに含む。ほんの一例として、このような発射は、生検装置（１０）が、先端部（１１２）を患者の乳房に隣接させた状態で、定位台固定具または他の固定具に据え付けられている場合に、有用となり得、針発射機構（４００）は、針（１１０）を患者の乳房に打ち込むように作動され得る。針発射機構（４００）は、任意の適切な運動範囲に沿って針（１１０）を駆動し、先端部（１１２）を、プローブ（１００）の固定された構成要素に対して任意の適切な距離まで駆動するように構成され得る。本実施例の針発射機構（４００）は、作動ボタン（７６０）および準備ボタン（arming buttons）（７５０）により作動される。作動ボタン（７６０）は、ホルスター（７００）のサイドパネル（７０４）上に置かれた薄膜スイッチを含む。いくつかのバージョンでは、作動ボタン（７６０）は、ホルスター（７００）の両側にあるが、他のバージョンでは、作動ボタン（７６０）は、ホルスター（７００）の片側だけにあるか、または、他の場所（例えば、遠隔のユーザーインターフェース、真空源（８００）もしくは他の場所など）に位置する。作動ボタン（７６０）は、針発射機構（４００）を装填するためにモーター（４０２）を選択的に作動させるように動作可能である。準備ボタン（７５０）も、本実施例ではホルスター（７００）の両側に設けられ、サイドパネル（７０４）に対して横方向に機械的に移動可能である。各準備ボタン（７５０）は、サイドパネル（７０４）との流体密封シールを提供するベローズ（７５２）を含む。当然、いずれのタイプのボタン（７５０、７６０）も、様々な他の構成要素、特徴部、構成および機能性を有し得る。
【００３６】
本実施例では、針発射機構（４００）は、発射ロッド（７３２）および発射分岐部（７３２）を介して針（１１０）と連結される。発射ロッド（７３２）および発射分岐部（７３４）は、相補的な平坦部およびピン（７３８）により、互いに一体的に固定される。発射分岐部（７３２）は、針（１１０）のハブ部材（１５０）を間に受容する一対の突起（７３４）を含む。突起（７３４）は、環状フランジ（１５２）と指回し式円形板（１５４）との間に位置付けられ、針（１１０）は、発射ロッド（７３０）および分岐部（７３２）と一体的に並進する。それにもかかわらず、突起（７３４）は、ハブ部材（５０）を取り外し可能に受容し、分岐部（７３２）は、プローブ（１００）がホルスター（７００）と連結されたときにハブ部材（１５０）に容易に固定されることができ、また、ハブ部材（１５０）は、プローブ（１００）がホルスター（７００）から外されると、分岐部（７３２）から容易に取り外され得る。突起（７３４）はまた、例えばノブ（７１０）が側方孔（１１４）の角度方向を変えるように回転されたときに、ハブ部材（１５０）を突起（７３４）間で回転させることができるように構成される。他の適切な構成要素、構成、および関係は、本明細書の教示を鑑みれば当業者には明らかであろう。ほんの一例として、針発射機構（４００）は、参照により開示が本明細書に組み込まれる、「Biopsy Device with Motorized Needle Firing」の名称で２０１１年４月１４日に出願された米国非仮特許出願第１３／０８６，５６７号の教示の少なくとも一部に従って、構築され、動作可能とされ得る。針発射機構（４００）を発射し得る、様々な他の適切な方法は、本明細書の教示を鑑みれば当業者には明らかであろう。いくつかのバージョンは針（１１０）の発射をもたらさない場合があることも理解されたい。
【００３７】
ＩＶ．組織標本ホルダーのための内側ハウジングの例示的な第１のバージョン
図５〜図８は、生検装置（１０）の組織標本ホルダー（３００）の内部または内側ハウジング（３０４Ａ）の例示的な第１のバージョンを示す。図５は、バルクチャンバ（bulk chamber）（３０８）、およびトレー受容／組織標本チャンバ（３４５Ａ）を含むものとして、例示的な内側ハウジング（３０４Ａ）を示している。例示的な内側ハウジング（３０４Ａ）は、プローブ（１００）の遠位端部に配された、組織標本入口点またはポート（３０６）上に位置付けられ、これを通して、組織標本を受容することができる。図５は、プローブ（１００）の遠位端部に配された真空ポート（３０７）も示す。内側ハウジング（３０４Ａ）は、真空ポート（３０７）により、真空源（８００）と流体連通している。真空は、真空源（８００）からポート（３０７）を通って、次に、組織標本ホルダー（３００）を通ってポート（３０６）へと伝えられる。このような伝達により、組織は、カッター（２００）の内腔を通り、出口ポート（３０６）を通り、その後、組織標本ホルダー（３００）内へ引き込まれる。
【００３８】
内側ハウジング（３０４Ａ）は、ポート（３０６）およびカッター（２００）に対し組織標本チャンバ（３４５Ａ）またはバルクチャンバ（３０８）を割り出しするように、組織標本ホルダー（３００）の外側カップ（３０３）内で回転可能である。さらに、または代わりに、外側カップ（３０３）は省略されてよく、内側ハウジング（３０４Ａ）は、手動もしくは自動で回転して、カッター（２００）に対し組織標本チャンバ（３４５Ａ）を割り出すことができる。例えば、回転は、プローブ（１００）および／またはホルスター（７００）内に配され、モーターにより動作されるプローブ（１００）およびホルスター（７００）の相互噛み合い歯車と接続可能である、シャフト（４２２）（図１３参照）などの歯車シャフトを介して、モーター（３０１）によりもたらされ得る。本開示の他の実施例の内側ハウジングの回転は、同様にもたらされてよい。
【００３９】
回転の一例として、図５の組織標本チャンバ（３４５Ａ）は、矢印（Ａ）の方向に沿って、また、反対側の方向に回転して、ポート（３０６）上に配されてよく、１つまたは複数の組織標本が、組織標本チャンバ（３４５Ａ）内部に受容され得る。あるいは、図５の組織標本チャンバ（３４５Ａ）は、組織標本チャンバ（３４５Ａ）がポート（３０６）上に配されない位置まで回転されてもよく、そうすると、１つまたは複数の組織標本が、ポート（３０６）を介してバルクチャンバ（３０８）内部に受容される。プローブ（１００）の真空ポート（３０７）は、バルクチャンバ（３０８）がポート（３０６）に対して割出しされたときに、組織が真空ポート（３０７）を塞ぐのを妨げるよう、フィルターまたはスクリーンを含み得る。さらに、または代わりに、プローブ（１００）は、真空ポート（３０７）から残骸を除去し、かつ／または真空ポート（３０７）に位置付けられたフィルター／スクリーンをきれいにするために、真空ポート（３０７）を通じて正の空気圧を与えるように、圧力ポンプを含むか、または圧力ポンプと連絡することができる。カップ（３０３）が余分な流体の除去などのために、排水溜め特徴部（sump feature）を含み得ることも理解されたい。
【００４０】
図６を参照すると、内側ハウジング（３０４Ａ）は、外壁面（３１２）、内壁面（３１４）、および外側環状壁（３１０）から横方向に突出する外側環状隆起部（３１６）を含む、外側環状壁（３１０）を含む。外側環状隆起部（３１６）は、ノッチ（３１８）を画定する内壁を含み、ノッチは、この実施例では、正方形の形状を有するように示されているが、円形もしくは三角形の形状またはそれらの組み合わせを含む、他の形状を含んでよい。さらに、隆起部（３１６）は、単一のノッチ（３１８）を含むように図示されているが、隆起部（３１６）は、同様または異なる形状および／もしくはサイズの、複数のノッチ（３１８）を含み得る。ノッチ（３１８）は、例えばプローブ（１００）および／またはホルスター（７００）に対する内側ハウジング（３０４Ａ）の回転を助けるため、前述したプローブ（１００）の回転支援部材の対応する突出部を受容することができる。
【００４１】
内側ハウジング（３０４Ａ）は、壁（３２０、３２２、３２４）により隔てられた、組織標本チャンバ（３４５Ａ）およびバルクチャンバ（３０８）を含む。図７に示すように、壁（３２０、３２２、３２４）の内面は、外側環状壁（３１０）の内壁面（３１４）の第１の部分（３２６）の方を向いており、第１の部分（３２６）と共に、組織標本チャンバ（３４５Ａ）を画定している。壁（３２０、３２２、３２４）の外面は、外側環状壁（３１０）の内壁面（３１４）の第２の部分（３２８）の方を向いており、第２の部分（３２８）と共に、バルクチャンバ（３０８）を画定している。
【００４２】
壁（３２０、３２２）は、内側ハウジング（３０４Ａ）の外側環状壁（３１０）の内壁面（３１４）から内側に突出し、壁（３２４）は、壁（３２０、３２２）の端部間に配される。壁（３２４）は、弓状に成形された内側部材として示されているが、壁（３２４）は、任意の他の適切なサイズおよび形状を含むように形成され得る。あるいは、壁（３２４）は省略されてもよく、壁（３２０、３２２）は、以下でさらに詳細に論じる変形体において、図１２に示すように、ある地点で合流し、三角形の形状を形成する。
【００４３】
本実施例では、壁（３２０、３２２、３２４）はそれぞれ、上方近位部分と、下方遠位部分と、を含む。中心に配された壁（３２４）の上方近位部分（３３０）は、棚状突起（３３４）により壁（３２４）の下方遠位部分（３３２）から隔てられる。内側に突出する壁（３２０、３２２）の下方遠位部分は、中心に配された壁（３２４）の上方部分および下方部分が棚状突起（３３４）により隔てられる距離だけ、壁（３２０、３２２）の上方近位部分の幅より大きい幅を有する。
【００４４】
図７を参照すると、内側に突出する壁（３２０、３２２）の内面はそれぞれ、前方部分（Ｆ）、後方部分（Ｒ）、および長さ方向に延びる突出部（３３６）を含む。図７に示す実施例では、突出部（３３６）は、壁（３２０、３２４）それぞれの上方部分から内側に延びる。突出部は、代わりに、またはさらに、本開示の範囲内で記載される他の壁から延びることができる。細長い突出部（３３６）、壁（３２０、３２２）の内面の後方部分（Ｒ）、および外側環状壁（３１０）の内壁面（３１４）は、取り外し可能なトレー（３４０）を受容及び保持するためのトレー空間（３３８）の遠位端部を画定する。図８に示すように、壁（３２０、３２２）の内面の後方部分、外側環状壁（３１０）の内壁面（３１４）、および中心に配された壁（３２４）の上方部分の内面は、取り外し可能なトレー（３４０）を受容するトレー空間（３３８）の近位端部を共に画定する。
【００４５】
トレー（３４０）は、図８に示すように、近位エッジおよび遠位エッジを有する、弓状の細長い近位端壁（３４４）から近位に延びるハンドル（３４２）を含む。ハンドル（３４２）は、ユーザーが、トレー空間（３３８）にトレー（３４０）を挿入するか、もしくはトレー空間（３３８）からトレー（３４０）を取り外すこと、および、トレー（３４０）がトレー空間（３３８）内に受容されたときに内側ハウジング（３０４Ａ）を手動で回転させること、を助けることができる。近位エッジおよび遠位エッジを有する、側壁または外側トレー壁（３４６、３４８）は、近位端壁（３４４）の裏側または遠位エッジから遠位に突出する。細長い弓状の壁（３５０、３５２）が、近位端壁（３４４）の下に、かつこれに近接して配されており、近位端壁（３４４）と実質的に同じ形状を有している。近位端壁（３４４）および細長い弓状壁（３５０、３５２）の末梢端部は、組織標本流体または組織標本の潜在的な漏出を防ぐために、トレー（３４０）が組織標本チャンバ（３４５Ａ）のトレー空間（３３８）内に受容されると、トレー（３４０）の近位端部と組織標本チャンバ（３４５Ａ）との間に追加シールを提供する、ワイパーシールとして作用し、また、チャンバ（３４５Ａ）内部の真空を維持するのに役立つ。これらの末梢端部は、例えば、内側ハウジング（３０４Ａ）のトレー空間（３３８）を画定する壁と摩擦嵌めを形成することができる。トレー（３４０）および／または組織標本ホルダー（３００）の他の構成要素は、シールを作り出すため、面シール（face seals）および／または様々なタイプのエラストマーを含むこともできる。さらに、または代わりに、壁（３４４、３５０、３５２）のうちの１つまたは複数の壁の対向する側方末梢端部（peripheral opposite side ends）は、壁（３２０、３２２）の近位部分に画定される孔（３５４）に受容され得る。
【００４６】
弓状に成形された床部（３５６）が、トレー外壁（３４６、３４８）間に配され、孔（３５８）を含んでいる。遠位端部において、基部端壁（３６０）が、床部（３５６）から延び、トレー外壁（３４６、３４８）の端部間に配されている。基部端壁（３６０）は、トレー空間（３３８）内部に受容されるようなサイズである。基部端壁（３６０）は、孔（３６２）を画定し、この孔（３６２）を通して、組織標本が、例えば、前記のとおり、ポート（３０６）を介してカッター（２００）から、受容され得る。床部（３５６）、トレー外壁（３４６、３４８）、壁（３５２）の裏側、および基部端壁（３６０）は、組織標本受容空間（３６４）を画定する。弓状に成形された床部（３５６）の孔（３５８）は、任意の適切な形状およびサイズのものであってよい。例えば、孔（３５８）は、円形の形状を有してよく、トレー空間（３３８）内に位置付けられたトレー（３４０）内に組織標本がとどまる間、組織標本受容空間（３６４）に受容された組織標本からの流体が、孔（３５８）を通って、流体受容空間（３６６）まで流れ得るように、十分大きなサイズであってよい。図７に示すように、壁（３２０、３２２）の内面の前方部分、細長い突出部（３３６）、棚状突起（３３４）の裏側、中心に配された壁（３２４）の遠位部分の内面、およびトレー（３４０）の床部（３５６）により、流体受容空間（３６６）が形成される。流体受容空間（３６６）は、ポート（３０６）上に組織標本チャンバ（３４５Ａ）を位置付けるようにハウジング（３０４Ａ）が回転すると、プローブ（１００）の真空ポート（３０７）上に配される。流体は、その後、生検装置（１０）を通って、真空源（８００）に接続されたチューブまで流れて戻ることができる。
【００４７】
使用中、初期の１組の組織標本は、プローブ（１００）のポート（３０６）上に配され、これと整列された、バルクチャンバ（３０８）内に受容されて積み上げられ得る。バルクチャンバ（３０８）がポート（３０６）上に配された内側ハウジング（３０４Ａ）は、例えば、ポート（３０６）を通じて組織標本を受け取るごとに、前記のとおりモーター（３０１）を介して、自動的に割出しされ得る。最終的に、内側ハウジング（３０４Ａ）は、バルクチャンバ（３０８）の一部の代わりに組織標本チャンバ（３４５Ａ）がポート（３０６）上に配されてこれと整列する地点まで割り出しされ、組織標本を受け取る。この時点で、第１組の組織標本がバルクチャンバ（３０８）に受容された後、組織標本チャンバ（３４５Ａ）内に受容された標本は、例えば実験室試験目的で病理学的標本として扱われてよく、バルクチャンバ（３０８）内に受容された標本は廃棄され得る。同様の使用が、本開示の内側ハウジングの実施例の任意のものにおいて、かつ任意のもののために、行われてよく、その使用において、組織標本チャンバ内部に受容された標本は、さらなる試験のための病理学的標本（例えば試験前にホルマリン中で保存された腫瘍学的標本（oncology sample）であってよく、バルクチャンバ（３０８）内に受容された標本は、廃棄され得る。
【００４８】
Ｖ．組織標本ホルダーのための内側ハウジングの例示的な第２のバージョン
図９〜図１１は、生検装置（１０）の組織標本ホルダー（３００）の内側ハウジング（３０４Ｂ）の別の例示的なバージョンを示す。例示的な内側ハウジング（３０４Ｂ）は、内側ハウジング（３０４Ａ）について前述したように、ポート（３０６）上に位置付けられる。内側ハウジング（３０４Ａ）の同様の構成要素に使用された参照符号は、内側ハウジング（３０４Ｂ）にも使用される。さらに、本明細書のバージョン間における類似点については、さらに説明しない。トレー（３７０）が内側ハウジング（３０４Ｂ）のトレー空間に受容されると、近位端面図は、内側ハウジング（３０４Ａ）について図６に示した近位端面図に類似する。しかしながら、内側ハウジング（３０４Ｂ）を遠位から見ると、またはトレー（３７０）が内側ハウジング（３０４Ｂ）のトレー空間内部に受容されていない場合、内側ハウジング（３０４Ｂ）は、ただ１つの組織標本チャンバ（３４５Ａ）ではなく３つの組織標本チャンバ（３４５Ｂ）を含む点で、内側ハウジング（３０４Ａ）とは異なる。内側ハウジング（３０４Ｂ）は、バルクチャンバ（３０８）も含む。組織標本チャンバ（３４５Ｂ）は、壁（３２０、３２２、３２４）によりバルクチャンバ（３０８）から隔てられる。壁（３２０、３２２）は、内側ハウジング（３０４Ａ）の外側環状壁（３１０）の内壁面（３１４）から内側に突出しており、壁（３２４）は、壁（３２０、３２２）の端部間に配されている。壁（３２４）は、弓状に成形されたものとして図示されるが、壁（３２４）は、当業者には明らかである他の形状を含むように形成され得る。
【００４９】
組織標本ホルダー（３００）の内側ハウジング（３０４Ｂ）の第２のバージョンは、内壁（３７２、３７４）をさらに含み、内壁（３７２、３７４）は、内側に延びる壁（３２０、３２２）間に配され、外側環状壁（３１０）の内壁面（３１４）と中心に配された壁（３２４）との間に延びて、３つの組織標本チャンバ（３４５Ｂ）を画定している。このような３つのチャンバがこの実施例で示されているが、より多いかまたは少ない数の内壁が、より多いかまたは少ない数のチャンバをそれぞれ画定するために含まれてよい。壁（３２０）、（３２４）の内面および内壁（３７２）は、外側環状壁（３１０）の内壁面（３１４）の第１の部分（Ｐ１）と共に、第１の組織標本チャンバ（３４５Ｂ）を画定する。内壁（３７２）の反対面、中心に配された壁（３２４）の内面、および、内壁（３７４）の面は、内壁面（３１４）の第２の部分（Ｐ２）と共に、第２の組織標本チャンバ（３４５Ｂ）を画定する。内壁（３７４）の反対面、壁（３２２、３２４）の内面、および内壁面（３１４）の第３の部分（Ｐ３）は、第３の組織標本チャンバ（３４５Ｂ）を画定する。壁（３２０、３２２、３２４）の外面は、内壁面（３１４）の第４の部分（Ｐ４）の方を向き、この第４の部分と共に、バルクチャンバ（３０８）を画定する。
【００５０】
図１０に示すように、また、第１のバージョンと同様に、内側に突出する壁（３２０、３２２）の内面、ならびに内壁（３７２、３７４）の面はそれぞれ、前方部分（Ｆ）、後方部分（Ｒ）、および壁それぞれの上方部分から内側に延びる細長い突出部（３３６）を含む。細長い突出部（３３６）、壁（３２０、３２２、３７２、３７４）の後方部分、および外側環状壁（３１０）の内壁面（３１４）は共に、以下で説明するように、取り外し可能なトレー（３７０）の３つのそれぞれの突起（３８２、３８４、３８６）をそれぞれ受容および保持するための３つの別個のトレー空間空洞（３７６、３７８、３８０）の遠位端部を画定する。図１１に示すように、壁（３２０、３２２、３７２、３７４）の後方部分、外側環状壁（３１０）の内壁面（３１４）の第１、第２、および第３の部分（Ｐ１、Ｐ２、Ｐ３）、ならびに中心に配された壁（３２４）の上方部分の内面は共に、取り外し可能なトレー（３７０）の突起（３８２、３８４、３８６）をそれぞれ受容するように、トレー空間空洞（３７６、３７８、３８０）の近位端部を画定する。
【００５１】
トレー（３７０）は、図１１に示すように、弓状の細長い近位端壁（３４４）から近位に延びるハンドル（３４２）を含む。第１の突起（３８２）のトレー外壁（３９０、３９２）、第２の突起（３８４）のトレー外壁（３９０、３９２）、および第３の突起（３８６）のトレー外壁（３９０、３９２）はそれぞれ、近位端壁（３４４）の裏側から遠位に突出する。一対の弓状壁（３９４、３９６）が、突起それぞれについて、近位端壁（３４４）より遠位で、これに近接して配される。近位端壁（３４４）および弓状壁（３９４、３９６）の外側末梢端部は、組織標本液体または組織標本の潜在的な漏出を防ぐために、トレー（３７０）の３つの突起（３８２、３８４、３８６）がそれぞれ、組織標本チャンバ（３４５Ｂ）の壁により画定されたトレー空間空洞（３７６、３７８、３８０）に受容されると、トレー（３７０）の近位端部と組織標本チャンバ（３４５Ｂ）との間に追加シールを提供する、ワイパーシールとして作用し、また、チャンバ（３４５Ｂ）内部の真空を維持するのに役立つ。末梢端部は、例えば、内側ハウジング（３０４Ａ）のトレー空間空洞（３７６、３７８、３８０）の壁と摩擦嵌めを形成することができる。トレー（３７０）および／または組織標本ホルダー（３００）の他の構成要素は、シールを作り出すため、面シールおよび／または様々なタイプのエラストマーを含むこともできる。
【００５２】
床部（３９８）が、各組のトレー外壁（３９０、３９２）間に配され、孔（４０４）を含む。遠位端部において、突起はそれぞれ、それぞれの床部（３９８）から延びる基部端壁（４０６）を含む。各基部端壁（４０６）は、それぞれのトレー外壁（３９０、３９２）の端部間に配される。基部端壁（４０６）はそれぞれ、対応するトレー空間空洞（３７６、３７８、３８０）内部に受容されるようなサイズである。基部端壁（４０６）はそれぞれ、孔（４０８）を画定する内壁を含み、前記のとおり、孔（４０８）を通して、組織標本が、例えばカッター（２００）から受容され得る。各突起について、床部（３９８）、トレー外壁（３９０、３９２）、壁（３９６）の裏側、および基部端壁（４０６）は、組織標本受容空間（４１０）を画定する。弓状に成形された床部（３９８）の孔（４０８）は、第１のバージョンについて前述されたのと同じようにサイズ決めされる。
【００５３】
使用中、内側ハウジング（３０４Ｂ）は、内側ハウジング（３０４Ａ）と同じように割出しされ得、バルクチャンバ（３０８）は、最初にプローブ（１００）のポート（３０６）上に配されて、組織標本を受容することができ、内側ハウジング（３０４Ｂ）は、組織標本チャンバ（３４５Ｂ）のうちの１つが組織標本を受容するまで、組織標本受容のたびに割出しされ得る。さらに、割出しは、組織標本チャンバ（３４５Ｂ）それぞれが、潜在的な病理学的使用のため、例えば試験前にホルマリン中に保管される腫瘍学的標本としての使用のために、それぞれの組織標本を受容するまで、続けられ得、バルクチャンバ（３０８）内に受容された組織標本は、廃棄されてよい。このような複数の組織標本チャンバに向けた自動割出しおよび複数の組織標本チャンバ内への受容は、複数の組織標本チャンバを含む、本明細書に開示する内側ハウジングの実施例で可能となる。
【００５４】
ＶＩ．組織標本ホルダーのための内側ハウジングの例示的な第３のバージョン
図１２〜図１４は、生検装置（１０）の組織標本ホルダー（３００）のための内側ハウジング（３０４Ｃ）の別の例示的なバージョンを示す。内側ハウジング（３０４Ａ、３０４Ｂ）の同様の構成要素に使用された参照符号は、内側ハウジング（３０４Ｃ）についても使用される。さらに、これらバージョン間の類似点については、さらに説明しない。
【００５５】
図１２を参照すると、内側ハウジング（３０４Ｃ）の近位側の図が、内側ハウジング（３０４Ｃ）の近位表面（４１４）から横方向に延びるタブ（４１２）を示す。図１３は、トレー（４１６）が、プラグ（４１８）、バルクチャンバキャップ（４２０）、外側カップ（３０３）、および歯車シャフト（４２２）と共に内側ハウジング（３０４Ｂ）のトレー空間から取り外された際の、内側ハウジング（３０４Ｂ）の遠位側の図を示す。内側ハウジング（３０４Ｃ）が内側ハウジング（３０４Ａ）と異なる１つの様式（One way）は、内側ハウジング（３０４Ｃ）が、バルクチャンバ（３０８）と共に単一のトレー受容チャンバを含むのではなく、バルクチャンバ（３０８）と共に２つの組織標本またはトレー受容チャンバ（３４５Ｃ）とプラグチャンバ（４２４）とを含む点である。
【００５６】
バルクチャンバキャップ（４２０）は、バルクチャンバ（３０８）をシールするようにバルクチャンバ（３０８）の形状と一致するように構成される。バルクチャンバキャップ（４２０）は、壁（３２０、３２２、３２４）により画定された外形を備えた、対応する形状を有する陥凹部分を含む。キャップ（４２０）は、近位表面（４２６）（図１４）および遠位表面（４２８）（図１３）と、これらの近位表面と遠位表面との間に配された３つの壁（４３０、４３２、４３４）と、を含む。図１６に示すように、第１の長さ方向壁（４３０）が、遠位表面（４２８）から横向き壁（４３２）へと延びる。横向き壁（４３２）は、第１の長さ方向壁（４３０）と第２の長さ方向壁（４３４）との間に横向きに延びる。第２の長さ方向壁（４３４）は、キャップ（４２０）の近位表面（４２６）から延びる。第１の長さ方向壁（４３０）は、内側ハウジング（３０４Ｃ）の内壁面（３１４）および壁（３２０、３２２、３２４）の外面に隣接するように成形される。キャップ（４２０）の横向き壁（４３２）は、内側ハウジング（３０４Ｃ）の近位表面（４１４）およびタブ（４１２）の一部に隣接するように成形される。キャップ（４２０）が内側ハウジング（３０４Ｃ）上に配されると、キャップ（４２０）は、例えば、キャップ（４２０）の第１の垂直壁（４３０）と、内側ハウジング（３０４Ｃ）の内壁面（３１４）と、壁（３２０、３２２、３２４）の外面との間において、摩擦嵌め接続で内側ハウジング（３０４Ｃ）に接続され得る。タブ（４１２）上に延びて配されるキャップ（４２０）の長さ方向壁（４３２）により、キャップ（４２０）の取り外しは、内側ハウジング（３０４Ｃ）からキャップ（４２０）を持ち上げるのに十分な力が水平壁（４３２）の露出部分に加えられ得るように、キャップ（４２０）が内側ハウジング（３０４Ｃ）に対して設置されたときにキャップ（４２０）の長さ方向壁（４３２）の一部の下に空間ができるようにすることによって容易になり得る。図１４は、組織標本ホルダー（３００）がキャップ（４２０）、内側ハウジング（３０４Ｃ）、外側カップ（３０３）、および歯車シャフト（４２２）を含むように組み立てられたときに、内側ハウジング（３０４Ｃ）に接して設置されたキャップ（４２０）の図を示す。
【００５７】
キャップ（４２０）の近位表面（４２６）は、ハンドル（４３６）（図１４）を含み、ハンドル（４３６）は、キャップ（４２０）を内側ハウジング（３０４Ｃ）に設置するかまたは内側ハウジング（３０４Ｃ）から取り外すのを助ける。ハンドル（４３６）は、内側ハウジング（３０４Ｃ）が手動で回転可能であるバージョンにおいて、外側カップ（３０３）内部での内側ハウジング（３０４Ｃ）の手動回転を容易にするのにも使用され得る。しかしながら、本実施例では、内側ハウジング（３０４Ｃ）の回転は、シャフト（４２２）を介して、モーター（３０１）によりもたらされる。第１の組織標本ホルダーのバージョンについて前述した回転と同様、内側ハウジング（３０４Ｃ）は、図１２の組織標本チャンバ（３４５Ｃ）のうちの１つが図５に示すようにポート（３０６）上に配されるまで回転することができ、このため、組織標本は、選択された組織標本チャンバ（３４５Ｃ）内に受容され得る。あるいは、内側ハウジング（３０４Ｃ）は、参照により開示が本明細書に組み込まれる、「Biopsy Method」の名称で２００９年８月２０日に公開された米国特許出願公開第２００９／０２０９８５４号の教示に従って構築され、動作可能とされ得る、マーカー配備装置などの送達手段により、アイテムまたは物質、例えばマーカーおよび／もしくは薬剤を送達するために、プラグチャンバ（４２４）が標本入口点上に配されるまで、回転され得る。プラグ（４１８）は、マーカーまたは薬剤が前記のとおり、配備装置により配備されていないときには、プラグチャンバ（４２４）内部に受容されるように構成され、組織標本が組織標本チャンバ（３４５Ｃ）のうちの１つに受容される間、プラグチャンバ（４２４）をシールするように作用する。プラグ（４１８）は、内部を通って延びる孔（４４０）を有する支柱（４３８）と、支柱（４３８）の近位端部に配されたハンドル（４４２）とを含む。プラグ（４１８）の支柱（４３８）は、細長いスロット（４４４）を画定し、このスロットは、孔（４４０）に対して開口していてよく、または、スロットドアにより孔（４４０）へのアクセスを制限し得る。
【００５８】
図１２を再び参照すると、内側ハウジング（３０４Ｃ）は、組織標本チャンバ（３４５Ｃ）、プラグチャンバ（４２４）、およびバルクチャンバ（３０８）を含む。組織標本チャンバ（３４５Ｃ）およびプラグチャンバ（４２４）は、壁（３２０、３２２、３２４）によりバルクチャンバ（３０８）から隔てられる。壁（３２０、３２２）は、内側ハウジング（３０４Ａ）の外側環状壁（３１０）の内壁面（３１４）から内側に突出し、壁（３２４）は、壁（３２０、３２２）の端部間に配される。壁（３２４）は、弓状に成形されたものとして図示されるが、壁（３２４）は、当業者には明らかである他の形状を含むように形成されてよい。
【００５９】
本実施例の内側ハウジング（３０４Ｃ）は、内壁（３７２、３７４）をさらに含み、内壁（３７２、３７４）は、内側に延びる壁（３２０、３２２）間に配され、外側環状壁（３１０）の内壁面（３１４）と中心に配された壁（３２４）との間に延びて、２つの組織標本チャンバ（３４５Ｂ）、およびプラグチャンバ（４２４）を画定する。この実施例では、２つの組織標本チャンバが図示されるが、より多いかまたは少ない数の内壁が、より多いかまたは少ない数の組織標本チャンバをそれぞれ画定するために含まれることもできる。さらに、この実施例では、単一のプラグチャンバが図示されるが、所望に応じて、より多くの数のプラグチャンバを画定するために、より多くの内壁が含まれてもよい。また、組織標本チャンバは、概ね台形の形状を有するように示され、プラグチャンバは、環状の形状を有するものとして示されるが、これらチャンバのための他の形状、サイズ、および構成も、本開示の範囲内である。
【００６０】
内側ハウジング（３０４Ｂ）の第３の組織標本チャンバ（３４５Ｂ）の代わりとして、内側ハウジング（３０４Ｃ）は、内壁（３７４）の反対面、壁（３２２、３２４）の内面、および内壁面（３１４）の第３の部分（Ｐ３）により画定される、環状プラグチャンバ（４２４）を含む。
【００６１】
中心に配された壁（３２４）の近位部分は、壁（３２０、３２２）の近位部分間に配され、壁（３２４）の遠位部分は、横方向に延びる棚状突起（４４５）を含み、棚状突起（４４５）から、３つの延長部（４５０）が遠位に突出し、中心部品（４４８）の床部（４４６）に向けて延びている。床部（４４６）は、壁（３２４）および壁（３２４）の延長部（４５０）から横方向に延びる。床部（４４６）は、壁（３２０、３２２）の近位部分と遠位部分との間それぞれに分離線を示すエリアに境界を画する、エッジ（４５２）を含む。床部（４４６）は、エッジ（４５２）から突出する環状部分（４５４）を含む。環状傾斜壁（４５６）が、床部（４４６）の環状部分（４５４）から、壁（３２０、３２２）の遠位部分に沿って、排水溜め床部（４５８）まで遠位に突出しており、排水溜め床部（４５８）は、孔（４６０）を含み、これらの孔（４６０）を通って、流体または液体が、内側ハウジング（３０４Ｃ）を通って吸引され、内側ハウジング（３０４Ｃ）から除去されることができる。
【００６２】
壁（３２０、３２２）の下方遠位部分、内側ハウジング（３０４Ｃ）の内壁面（３１４）の第４の部分（Ｐ４）、および排水溜め床部（４５８）の外側エッジが、空間（４６２）を画定し、この空間（４６２）を通って、組織標本がバルクチャンバ（３０８）内へ受容され得る。支柱（４６４）が、図１３に示すように、床部（４４６）の遠位表面から突出している。支柱（４６４）は、歯車シャフト（４２２）の近位孔（不図示）内に受容されるようにサイズ決めされる。近位孔は、キーで留めた関係（keyed relationship）で支柱（４６４）を受容するように成形され、サイズ決めされる。このキーで留めた関係により、歯車シャフト（４２２）の回転で、支柱（４６４）を回転させることができ、これにより、内側ハウジング（３０４Ｃ）が外側カップ（３０３）内部で回転する。回転は、モーター（３０１）により駆動される回転機構（３０２）の構成要素と噛み合うシャフト（４２２）によってもたらされる。当然、回転は、代わりに、任意の他の適切な構成要素／技術によって、任意の他の適切な様式でもたらされてもよい。
【００６３】
図１３に示すように、また、図１０に示す第２のバージョンと同様に、内側に突出する壁（３２０、３２２）の内面、ならびに内壁（３７２、３７４）の面はそれぞれ、前方部分（Ｆ）、後方部分（Ｒ）、および壁それぞれの上方部分から内側に延びる細長い突出部（３３６）を含む。細長い突出部（３３６）、壁（３２０、３７２、３７４）の後方部分、および外側環状壁（３１０）の内壁面（３１４）は共に、以下で説明するように、取り外し可能なトレー（４１６Ａ）の２つのそれぞれの突起（４７０、４７２）をそれぞれ受容および保持するための２つの別個のトレー空間空洞（４６６、４６８）の遠位端部を画定する。図１２に示すように、トレー空間空洞（４６６、４６８）の反対側の近位端部は、取り外し可能なトレー（４１６）の突起（４７０、４７２）（図１３）をそれぞれ受容する。トレー空間空洞（４６６、４６８）の近位端部は、壁（３２０、３７２、３７４）の後方部分、外側環状壁（３１０）の内壁面（３１４）の第１および第２の部分（Ｐ１およびＰ２）、ならびに中心に配された壁（３２４）の上方部分の内面により画定される。
【００６４】
図１３に示すように、トレー（４１６Ａ）は、弓状で細長い近位端壁（４７６）から近位に延びるハンドル（４７４）を含む。第１の突起（４７０）および第２の突起（４７２）のトレー外壁（４７８、４８０）はそれぞれ、近位端壁（４７６）の裏側から遠位に突出する。弓状壁（４８２）が、突起それぞれについて、近位端壁（４７６）の遠位に、かつこれに近接して配される。近位端壁（４７６）および弓状壁（４８２）の外側末梢端部は、組織標本液体または組織標本の潜在的な漏れを防ぐために、組織標本チャンバ（３４５Ｃ）の壁により画定されるトレー空間空洞（４６６、４６８）にトレー（４１６Ａ）の突起（４７０、４７２）がそれぞれ受容されたときに、トレー（４１６Ａ）の近位端部と組織標本チャンバ（３４５Ｃ）との間に追加シールを与えるワイパーシールとして作用し、また、チャンバ（３４５Ｃ）内部で真空を維持するのを助ける。末梢端部は、例えば、内側ハウジング（３０４Ｃ）のトレー空間空洞（４６６、４６８）の壁と摩擦嵌めを形成し得る。トレー（４１６Ａ）および／または組織標本ホルダー（３００）の他の構成要素は、シールを作り出すため、面シールおよび／または様々なタイプのエラストマーを含むこともできる。
【００６５】
床部（４８４）が、各組のトレー外壁（４７８、４８０）間に配され、孔（４８６）を含む。突起はそれぞれ、遠位端部においてそれぞれの床部（４８４）から延びる基部端壁（４８８）を含む。各基部端壁（４８８）は、それぞれのトレー外壁（４７８、４８０）の端部間に配される。基部端壁（４８８）はそれぞれ、対応するトレー空間空洞（４６６、４６８）内部に受容されるようにサイズ決めされる。基部端壁（４８８）はそれぞれ、孔（４９０）を画定する内壁を含み、これらの孔（４９０）を通して、組織標本が、前記のとおり、例えば、カッター（２００）から受容され得る。各突起について、床部（４８４）、トレー外壁（４７８、４８０）、弓状壁（４８２）の裏側、および基部端壁（４８８）の近位表面が、組織標本受容空間（４９２）を画定する。弓状に成形された床部（４８４）の孔（４８６）は、第１のバージョンの孔（３５８）について前述したのと同じようにサイズ決めされる。同様に、プローブ（１００）のポート（３０６）を介して、組織標本受容空間（４９２）に受容された組織標本からの流体は、組織標本がそれぞれのトレー空間内部に位置付けられたトレー（４１６）のそれぞれの突起内にとどまる間、孔（４８６）を通って、それぞれの流体受容空間（４９４）まで流れることができる。流体受容空間（４９４）は、図１３に示すように、壁（３２２、３７２、３７４）の内面の前方部分（Ｆ）、細長い突出部（３３６）、棚状突起（４４５）の裏側、中心に配された壁（３２４）の遠位部分の延長部（４５０）の内面、およびトレー（４１６Ａ）の突起（４７０、４７２）の床部（４８４）により形成される。次に、流体は、前記のとおり、真空ポート（３０７）を介して生検装置（１０）を通って、真空源（８００）に接続されたチューブまで戻ることができる。
【００６６】
ＶＩＩ．組織標本ホルダーのための内側ハウジングの例示的な第４のバージョン
図１５〜図１６は、生検装置（１０）の組織標本ホルダー（３００）のための内側ハウジング（３０４Ｄ）の別の例示的なバージョンを示す。内側ハウジング（３０４Ａ、３０４Ｂ、３０４Ｃ）の同様の構成要素に使用された参照符号は、内側ハウジング（３０４Ｄ）にも使用される。さらに、これらのバージョン間の類似点については、さらに説明しない。
【００６７】
内側ハウジング（３０４Ｄ）は、内側ハウジング（３０４Ｄ）が複数の組織標本チャンバではなく、単一の組織標本チャンバ（３４５Ｄ）を、プラグチャンバ（４２４）と共に含む点で、内側ハウジング（３０４Ｃ）と異なる。内側ハウジング（３０４Ｄ）は、内側ハウジング（３０４Ｃ）について述べたのと同じように、キャップ（４２０）に対して設置された近位表面を含み得る。図１５は、内側ハウジング（３０４Ｄ）の代替的な近位表面を示し、ここで、バルクチャンバ（３０８）は、内側ハウジング（３０４Ｄ）の外側環状壁（３１０）の上方周縁部内部に配された上方床部（５００）によりシールされ、組織標本チャンバ（３４５Ｄ）およびプラグチャンバ（４２４）は、上方床部（５００）に画定された孔と連絡している。
【００６８】
図１６は、内側ハウジング（３０４Ｄ）の遠位端部を示す。壁（３２０、５０２）が、外側環状壁（３１０）の内壁面（３１４）の第１の部分と共に、組織標本チャンバ（３４５Ｄ）を画定する。壁（３２２、５０２）は、外側環状壁（３１０）の内壁面（３１４）の第２の部分と共に、プラグチャンバ（４２４）を画定する。トレー（４１６Ｂ）が第４のバージョンについて前述したのと同じように組織標本チャンバ（３４５Ｄ）の後方部分内部に受容されたときにトレー（４１６Ｂ）の床部（４８４）に隣接するのに十分な長さまで、リブ（５０４）が、内壁面（３１４）の第１の部分に向けて、壁（３２４）の内面から延びる。さらに、トレー（４１６Ｂ）が２つの突起ではなく単一の突起を含み、また、端壁（４７６）と弓状壁（４８２）との間に配された複数の貯蔵容器（bins）（５０６）を含むことを除いて、トレー（４１６Ｂ）は、第４のバージョンについて前述したトレー（４１６Ａ）に類似している。さらには、トレー（４１６Ａ）の各組織標本受容空間（４９２）は、単一の組織標本のみを受容するようにサイズ決めされていたのに対し、トレー（４１６Ｂ）の組織標本受容空間（４９２）は、いくつかの組織標本を受容するようにサイズ決めされている。
【００６９】
ＶＩＩＩ．組織標本ホルダーのための内側ハウジングの例示的な第５のバージョン
図１７〜図１８は、生検装置（１０）の組織標本ホルダー（３００）のための内側ハウジング（３０４Ｅ）の別の例示的なバージョンを示している。これまでのバージョンの内側ハウジング（３０４Ａ、３０４Ｂ、３０４Ｃ、３０４Ｄ）の同様の構成要素に使用された参照符号は、内側ハウジング（３０４Ｅ）にも使用される。さらに、本明細書中のバージョン間の類似点については、さらに説明しない。
【００７０】
内側ハウジング（３０４Ｅ）は、トレー（４１６Ｂ）を受容するように構成された、トレー受容チャンバ（３４５Ｅ）または組織標本チャンバを含む。トレー（４１６Ｂ）は、内側ハウジング（３０４Ｄ）に受容される単一突起のトレー（４１６Ｂ）に類似しているので、さらに説明はしない。
【００７１】
図１７を参照すると、プラグチャンバ（４２４）が、第１および第２の組織標本チャンバ（３４５Ｅ）間に配された壁（６００）内部の近位端部において画定されている。第３の組織標本チャンバ（３４５Ｅ）は、第１および第２の組織標本チャンバ（３４５Ｅ）間に配され、壁（６０２、６０４）により第１および第２の組織標本チャンバ（３４５Ｅ）から隔てられる。壁（６００、６０２、６０４）はそれぞれ、内側環状壁（６０６）と外側環状壁（３１０）との間に延びる。棚状突起（６０８）は、内側環状壁（６０６）の中心部分から横方向に延びており、遠位に延びる環状延長部（６１０）と、床部（６１４）まで延びる垂直延長部（６１２）と、を含んでいる。第４のバージョンと同様に、また図１８に示すように、支柱（４６４）が、床部（６１４）から遠位に突出している。内側ハウジング（３０４Ｅ）の遠位側の図を示す図１８を参照すると、組織標本チャンバ（３４５Ｅ）およびプラグチャンバ（４２４）は、前方部分（Ｆ）および後方部分（Ｒ）を含む。壁（６００、６０２、６０４）の遠位端部は、これまでのバージョンで前述したとおり、突出部（３３６）を含む。突出部（３３６）が内側環状基部（６１８）に対してそれぞれの壁上に位置付けられた距離と同じような距離まで、垂直なリブ（６１６）が、外側環状壁（３１０）の内壁面（３１４）に向けて、内側環状基部（６１８）から突出する。リブ（６１６）は、Ｔ字型の外形を含み、内側部分が、床部（６１４）より下に配された内側環状基部（６１８）から垂直に延びて、その内側部分に隣接する端部が、内側部分の幅より大きな幅を有する。再び図１７を参照すると、リブ（６１６）の端部は、内側環状壁（６０６）上に配された突出部（６２０）から遠位に延びる。リブ（６１６）、棚状突起（６０８）の裏側、および内側環状基部（６１８）と床部（６１４）との間に延びる環状基部壁（６２２）により画定される空間、ならびに壁（６００、６０２、６０４）、棚状突起（６０８）の裏側、および少なくとも１つのリブ（６１６）により画定される空間は、先の実施例の流体受容空間について前述したように動作する、流体受容空間（４９４）である。
【００７２】
参照により本明細書に組み込まれると言われた任意の特許、公報、または他の開示資料は、全体として、または部分的に、組み込まれる資料が本開示に記載される既存の定義、陳述、または他の開示資料と矛盾しない範囲でのみ、本明細書に組み込まれることが理解されるべきである。したがって、必要な範囲で、本明細書に明白に記載される開示は、参照により本明細書に組み込まれるあらゆる矛盾する資料に優先する。参照により本明細書に組み込まれると言われたが、本明細書に記載される既存の定義、陳述、または他の開示資料と矛盾する、あらゆる資料またはその一部は、組み込まれる資料と既存の開示資料との間に矛盾が生じない範囲で、組み込まれるに過ぎない。
【００７３】
本発明の実施形態は、従来の内視鏡および切開手術器具（endoscopic and open surgical instrumentation）における適用、ならびにロボット支援手術における適用を有している。
【００７４】
本明細書に開示した装置の実施形態は、１回使用した後で廃棄されるように設計されてよく、あるいは、複数回使用されるように設計されてもよい。いずれかの場合において、またはいずれの場合も、実施形態は、少なくとも１回使用した後で再利用のため再調整されることができる。再調整は、装置の分解ステップ、その後の、特定の部品の洗浄または置換ステップ、およびその後の再組立ステップの、任意の組み合わせを含むことができる。具体的には、装置の実施形態は、分解されてよく、装置の、任意の数の特定の部品または部分が、任意の組み合わせで、選択的に置換または除去されることができる。特定の部分が洗浄および／または置換されると、装置の実施形態は、再調整施設で、または、外科処置の直前に外科チームによって、その後使用されるように再組立され得る。当業者は、装置の再調整が、分解、洗浄／置換、および再組立のための様々な技術を利用できることを認識するであろう。このような技術の利用、および結果として得られる再調整済み装置はすべて、本出願の範囲内である。
【００７５】
ほんの一例として、本明細書に記載した実施形態は、手術前に処理され得る。まず、新しい器具または使用済みの器具を入手し、必要であれば洗浄することができる。この器具は、次に滅菌され得る。１つの滅菌技術では、器具が、プラスチックまたはＴＹＶＥＫバッグなど、閉じられ密閉された容器の中に置かれる。容器および器具は、その後、γ放射線、ｘ線、または高エネルギー電子などの、容器を貫通できる放射線場の中に置かれ得る。放射線が、器具上および容器内の細菌を死滅させることができる。滅菌された器具は、その後、滅菌容器内に保管され得る。密閉された容器は、医療施設で開封されるまで、器具を滅菌状態に保つことができる。βもしくはγ放射線、エチレンオキシド、または蒸気を含むがこれらに限定されない、当技術分野で既知の任意の他の技術を使用して、装置を滅菌することもできる。
【００７６】
本発明のさまざまな実施形態を図示し説明してきたが、本明細書に記載された方法およびシステムのさらなる改作物が、本発明の範囲を逸脱せずに、当業者による適切な改変により達成され得る。このような潜在的な改変のいくつかには言及しており、他のものは、当業者には明らかであろう。例えば、前述した実施例、実施形態、外形、材料、寸法、比率、工程などは、例示的なものであり、必須ではない。したがって、本発明の範囲は、以下の請求項の点で検討されるべきであり、本明細書および図面に示し説明した構造および動作の詳細に限定されないことが理解される。
【００７７】
〔実施の態様〕
（１）  生検装置において、
（ａ）プローブ本体と、
（ｂ）前記プローブ本体から遠位に延び、横向きの組織受容孔を含む、針部分と、
（ｃ）前記針部分内部に位置付けられた中空カッターであって、前記孔を通って突出する組織から組織標本を切断するために前記針部分内部で並進可能であり、カッター内腔を画定する、中空カッターと、
（ｄ）組織標本ホルダーであって、
（ｉ）少なくとも２つの組織標本チャンバおよび少なくとも１つのプラグチャンバであって、前記チャンバはそれぞれ、軸方向に延び、前記軸方向は、前記カッター内腔と平行であり、前記少なくとも１つのプラグチャンバは、前記組織標本チャンバのうち少なくとも１つが組織標本を受容するように構成されると、プラグを受容するように構成される、少なくとも２つの組織標本チャンバおよび少なくとも１つのプラグチャンバ、
（ｉｉ）前記組織標本チャンバのうち少なくとも１つと取り外し可能に係合された少なくとも１つのトレーであって、軸方向に前記組織標本チャンバから取り外し可能である、少なくとも１つのトレー、
を含む、組織標本ホルダーと、
を含み、
前記組織標本ホルダーは、組織標本チャンバを前記カッター内腔に対し選択的に割出しして、割出しされた前記チャンバ内に前記組織標本を受容するように動作可能である、生検装置。
（２）  実施態様１に記載の生検装置において、
前記組織標本ホルダーは、内側ハウジングをさらに含み、
前記内側ハウジングは、前記チャンバを画定し、
前記少なくとも１つのトレーは、前記内側ハウジングの前記少なくとも２つの組織標本チャンバのうちの少なくとも１つと取り外し可能に係合可能である、生検装置。
（３）  実施態様１に記載の生検装置において、
前記少なくとも１つのトレーは、少なくとも１つの突起を含み、
前記突起は、一対の側壁、各対の側壁間に延びる基部端壁、ならびに、各対の側壁および対応する基部端壁と一体の床部を含む、生検装置。
（４）  実施態様３に記載の生検装置において、
前記少なくとも２つの組織標本チャンバのうちの１つが、前記トレーの前記少なくとも１つの突起を受容するようにサイズ決めされる、生検装置。
（５）  実施態様３に記載の生検装置において、
前記トレーは、少なくとも第１の突起および第２の突起を含み、
前記組織標本ホルダーは、少なくとも第１のチャンバおよび第２のチャンバを含み、
前記第１の組織標本チャンバは、前記第１の突起を受容するようにサイズ決めされ、前記第２の組織標本チャンバは、前記第２の突起を受容するようにサイズ決めされる、生検装置。
【００７８】
（６）  実施態様１に記載の生検装置において、
前記組織標本ホルダーの少なくとも一部が、ホルマリンカップ内に嵌まるようにサイズ決めされる、生検装置。
（７）  実施態様１に記載の生検装置において、
各トレーは、少なくとも１つの突起を含み、各突起は、組織標本受容空間を画定し、
各突起の各組織標本受容空間は、対応する組織標本チャンバと関連する、生検装置。
（８）  実施態様１に記載の生検装置において、
前記組織標本ホルダーは、前記カッター内腔に送られる流体を、第１の方向から第２の方向に向け直すように構成される、生検装置。
（９）  実施態様１に記載の生検装置において、
前記組織標本ホルダーは、前記プローブ本体と選択的に係合可能であり、
前記組織標本ホルダーは、前記プローブ本体に対して前記組織標本ホルダーを選択的に解放するように動作可能な解放機構を含む、生検装置。
（１０）  実施態様１に記載の生検装置において、
前記少なくとも２つの組織標本チャンバのうちの１つが、第１の容量を有する第１のチャンバを画定し、前記少なくとも２つの組織標本チャンバのうちの他方が、第２の容量を有する第２のチャンバを画定し、
前記第１の容量は、前記第２の容量と異なる、生検装置。
【００７９】
（１１）  実施態様１０に記載の生検装置において、
前記第１の容量は、前記第２の容量より実質的に大きい、生検装置。
（１２）  実施態様１１に記載の生検装置において、
前記第１のチャンバは、複数の組織標本を受容するように構成された、バルクチャンバである、生検装置。
（１３）  実施態様１２に記載の生検装置において、
前記第２のチャンバは、単一の組織標本のみを受容するように構成される、生検装置。
（１４）  実施態様１２に記載の生検装置において、
前記第２のチャンバは、前記バルクチャンバより少なくとも１つ少ない組織標本を受容するように構成される、生検装置。
（１５）  実施態様１に記載の生検装置において、
前記組織標本ホルダーは、前記カッター内腔から真空内腔に流体を向け直すように構成される、生検装置。
【００８０】
（１６）  生検プローブに係合し、組織標本を受容するように構成された、組織標本ホルダーにおいて、
（ａ）少なくとも第１のチャンバおよび第２のチャンバを含むハウジングであって、前記チャンバはそれぞれ、軸方向に沿って延び、前記第１のチャンバは、第１の容量を有し、前記第２のチャンバは、第２の容量を有し、前記第１の容量は、前記第２の容量とは異なる、ハウジングと、
（ｂ）前記チャンバのうちの少なくとも１つの内部に軸方向に受容されるように構成され、組織標本を受容するように構成される、少なくとも１つのトレーと、
を含む、組織標本ホルダー。
（１７）  実施態様１６に記載の組織標本ホルダーにおいて、
前記ハウジングは、
（ｉ）近位エッジおよび遠位エッジを有し、中央ボアを画定する、外側部材と、
（ｉｉ）前記外側部材から延びる、半径方向に延びる複数の壁と、
（ｉｉｉ）前記半径方向に延びる複数の壁の内側端部間に延びる内側部材であって、前記内側端部は、前記外側部材から離間しており、前記外側部材、前記内側部材、および前記壁は、前記少なくとも２つの組織標本チャンバのうちの少なくとも１つを画定する、内側部材と、
をさらに含み、
前記外側部材の第１の部分、前記内側部材、前記複数の壁の第１の外壁、および前記複数の壁の第２の外壁は、第１のチャンバを画定し、
前記外側部材の第２の部分、前記内側部材、および前記複数の壁のうちの少なくとも２つの壁は、前記少なくとも２つのチャンバのうちの第２のチャンバを画定し、
前記第１のチャンバは、前記第２のチャンバとは切り離されている、組織標本ホルダー。
（１８）  実施態様１７に記載の組織標本ホルダーにおいて、
前記チャンバのうちの各チャンバは、近位端部および遠位端部を含み、
前記近位端部は、トレーを受容するように構成され、
前記遠位端部は、前記プローブに近接して位置付けられるように構成され、
前記ハウジングの前記半径方向に延びる複数の壁は、前記近位端部と前記遠位端部との間に延びる、組織標本ホルダー。
（１９）  実施態様１７に記載の組織標本ホルダーにおいて、
前記少なくとも１つのトレーは、
（ｉ）それぞれが近位エッジおよび遠位エッジを有する、一対の側壁と、
（ｉｉ）前記側壁と係合する基部端壁であって、近位エッジおよび遠位エッジを有し、孔を画定する、基部端壁と、
（ｉｉｉ）前記側壁の前記近位エッジおよび前記基部端壁の前記近位エッジに連結された床部と、
を含み、
前記トレーは、前記少なくとも２つの組織標本チャンバのうちの１つのチャンバ内部に受容されるように構成され、前記トレーの前記側壁の前記遠位エッジは、それぞれの前記チャンバ内に受容されるように構成される、組織標本ホルダー。
（２０）  生検装置を操作する方法であって、前記生検装置は、（ｉ）組織受容孔を有し、針軸を定める、針、（ｉｉ）前記孔において組織を切断するように構成されたカッター、（ｉｉｉ）前記カッターにより切断された組織を送るように構成された内腔、ならびに（ｉｖ）バルクチャンバおよびトレーチャンバを有する、組織標本ホルダーのための内側ハウジングを含み、前記バルクチャンバは、前記トレーチャンバより大きな容量を有し、前記トレーチャンバは、入口点を介して前記内腔を通じて送られた組織を受容するように構成された少なくとも１つのトレーを有する、方法において、
（ａ）前記針および前記カッターで組織標本を捕捉する工程と、
（ｂ）前記入口点を介して、前記内腔を通じて前記バルクチャンバまで前記組織標本を送る工程と、
（ｃ）前記入口点に対して前記内側ハウジングの位置を変えるように前記内側ハウジングを回転させる工程と、
（ｄ）前記トレーが前記入口点上に配されるまで、工程（ａ）〜（ｃ）を繰り返す工程と、
（ｅ）前記入口点を介して、前記内腔を通じて前記トレーまでトレー組織標本を送る工程と、
（ｆ）前記トレーを前記針軸に平行な軸方向に引っ張ることにより、前記組織標本ホルダーから前記トレーを取り外す工程と、
を含む、方法。
【図面の簡単な説明】
【００８１】
【図１】例示的な生検システムの概略図である。
【図２】例示的な生検装置の様々な構成要素を示す概略的ブロック図である。
【図３】互いに連結された、例示的な生検装置のホルスターおよびプローブの斜視図であり、プローブは、組織標本ホルダーを含む。
【図４】図３の生検装置の斜視図であり、プローブの裏側およびホルスターの上側を露出するように、ホルスターから切り離されたプローブを示している。
【図５】図３のプローブの端部に取り付けられた、図３の組織標本ホルダーのための内側ハウジングの実施例の端面図であり、プローブの組織標本入口点、内側ハウジング内部のバルクチャンバ、および内側ハウジング内部のトレー受容チャンバを示す。
【図６】図５の内側ハウジングおよび図５のトレー受容チャンバに受容される取り外し可能なトレーの近位端部の斜視図である。
【図７】図６の内側ハウジングおよび取り外し可能なトレーの遠位端部の斜視図である。
【図８】図６の内側ハウジングおよび取り外し可能なトレーの分解組立斜視図である。
【図９】図３のプローブの端部に取り付けられた図３の組織標本ホルダーのための内側ハウジングの別の実施例の端面図であり、プローブの組織標本入口点、内側ハウジング内部のバルクチャンバ、および内側ハウジング内部のトレー受容チャンバを示す。
【図１０】図９の内側ハウジングおよび図９のトレー受容チャンバ内に受容された取り外し可能なトレーの遠位端部の斜視図である。
【図１１】図１０の内側ハウジングおよび取り外し可能なトレーの分解組立斜視図である。
【図１２】図３の組織標本ホルダーのための内側ハウジングの別の実施例の近位端部の斜視図である。
【図１３】図３の組織標本ホルダーの分解組立図であり、図１２の内側ハウジング、２突起トレー、マーカーおよび／または薬剤シールプラグ、バルクチャンバキャップ、歯車シャフト、ならびに外側キャップを示す。
【図１４】図１３の組織標本ホルダーの組み立て済み斜視図である。
【図１５】図３の組織標本ホルダーのための内側ハウジングの別の実施例の近位端部の斜視図である。
【図１６】図３の組織標本ホルダーの分解組立図であり、図１６の内側ハウジング、１突起トレー、マーカーおよび／または薬剤シールプラグ、バルクチャンバキャップ、歯車シャフト、ならびに外側キャップを示す。
【図１７】図３の組織標本ホルダーのための内側ハウジングの別の実施例の近位端部の斜視図である。
【図１８】図３の組織標本ホルダーの分解組立図であり、図１７の内側ハウジング、複数の単一突起トレー、マーカーおよび／または薬剤シールプラグ、バルクチャンバキャップ、ならびに歯車シャフトを示す。
【図１】
0006041879.tif 000002
【図２】
0006041879.tif 000003
【図３】
0006041879.tif 000004
【図４】
0006041879.tif 000005
【図５】
0006041879.tif 000006
【図６】
0006041879.tif 000007
【図７】
0006041879.tif 000008
【図８】
0006041879.tif 000009
【図９】
0006041879.tif 000010
【図１０】
0006041879.tif 000011
【図１１】
0006041879.tif 000012
【図１２】
0006041879.tif 000013
【図１３】
0006041879.tif 000014
【図１４】
0006041879.tif 000015
【図１５】
0006041879.tif 000016
【図１６】
0006041879.tif 000017
【図１７】
0006041879.tif 000018
【図１８】
0006041879.tif 000019